(57)【特許請求の範囲】
【請求項１】
少なくとも１つのプロセッサと、コンピュータ・プログラム・コードを含む少なくとも１つのメモリとを備える装置であって、
前記メモリおよび前記コンピュータ・プログラム・コードが、前記プロセッサと協働して、前記装置に、少なくとも、
ある位置からのビューを決定するステップであって、該ビューは、カメラ・モジュールの撮像領域の内における前記位置から延びる方向に沿って知覚可能な視覚情報を含む、ステップと、
前記ビューが、ユーザの注視深度に関連付けされたある焦点深度で前記ユーザにより視認可能であるように前記ビューの視覚表現をディスプレイに表示させるステップと、
前記位置からの異なるビューを決定するステップであって、異なるビューは、異なる撮像領域の内における前記位置から延びる異なる方向に沿って知覚可能な視覚情報を含む、ステップと、
前記異なるビューが、前記ユーザの異なる注視深度に関連付けされた異なる焦点深度で前記ユーザにより視認可能であるように前記異なるビューの視覚表現を前記ディスプレイに表示させるステップと、
を実行させるように構成される、装置。
【請求項２】
前記ディスプレイはシースルー・ディスプレイであり、
前記ビューは、前記位置からの前記方向に沿って知覚可能な視覚情報の非単一倍率を示す視覚情報である、請求項１に記載の装置。
【請求項３】
前記メモリは、前記プロセッサと協働して、前記装置に、
カメラ・モジュールからの前記方向に沿って知覚可能なカメラ視覚情報の受信を実行させるように構成されたコンピュータ・プログラム・コードを含み、
前記ビューを決定するステップは、少なくとも部分的に前記カメラ視覚情報に基づいている、請求項１または２に記載の装置。
【請求項４】
前記メモリは、前記プロセッサと協働して、
カメラ・モジュールから、前記位置からの前記異なる方向に沿って知覚可能なカメラ視覚情報の受信を前記装置に実行させるように構成されたコンピュータ・プログラム・コードを含み、
前記異なるビューの決定は、少なくとも部分的に前記カメラ視覚情報に基づいている、請求項１ないし３のいずれか１項に記載の装置。
【請求項５】
前記異なるビューは、前記方向および前記異なる方向と交差する別の方向に沿って知覚可能な視覚情報を更に含むパノラマ視覚表現である、請求項１ないし４のいずれか１項に記載の装置。
【請求項６】
前記メモリは、を前記プロセッサと協働して、前記装置に、
前記ユーザの前記異なる注視深度を決定するステップと、
前記異なる注視深度が前記異なる焦点深度に対応するものであると決定するステップと、
を実行させるように構成されたコンピュータ・プログラム・コードを含み、
前記異なるビューの前記視覚表現の表示をさせることは、少なくとも部分的に、前記異なる注視深度が前記異なる焦点深度に対応するものであるとの前記決定に基づいている、請求項１ないし５のいずれか１項に記載の装置。
【請求項７】
前記メモリは、前記プロセッサと協働して、前記装置に、
前記ユーザの前記注視深度を決定するステップと、
前記注視深度が前記焦点深度に対応すると決定するステップと、
を実行させるように構成されたコンピュータ・プログラム・コードを含み、
前記ビューの前記視覚表現の表示をさせることは、少なくとも部分的に、前記注視深度が前記焦点深度に対応するものであるとの前記決定に基づいている、
請求項１ないし６のいずれか１項に記載の装置。
【請求項８】
前記メモリは、前記プロセッサと協働して、
異なる位置からの第３のビューを決定するステップであって、該第３のビューは、前記異なる位置から延びる第３の方向に沿って知覚可能な視覚情報を含む、ステップと、
前記第３のビューが第３の焦点深度で前記ユーザにより視認可能であるように、前記ディスプレイの上に、前記第３のビューの視覚表現の表示をさせるステップ、
を前記装置に実行させるように構成されたコンピュータ・プログラム・コードを含む、請求項１ないし７のいずれか１項に記載の装置。
【請求項９】
前記位置は前記装置の地理的位置であり、
前記位置からの前記ビューの決定は、前記装置の前記地理的位置からの前記ビューの決定を含み、
前記位置からの前記異なるビューの決定は、前記装置の前記地理的位置からの前記異なるビューの決定を含む、
請求項１ないし８のいずれか１項に記載の装置。
【請求項１０】
ある位置からのビューを決定するステップであって、該ビューは、カメラ・モジュールの撮像領域の内における該位置から延びる方向に沿って知覚可能な視覚情報を含む、ステップと、
前記ビューが、ユーザの注視深度に関連付けされたある焦点深度で前記ユーザにより視認可能であるように、前記ビューの視覚表現をディスプレイの上に表示させるステップと、
前記位置からの異なるビューを決定するステップであって、前記異なるビューは、異なる撮像領域の内における前記位置から延びる異なる方向に沿って知覚可能な視覚情報を含む、ステップと、
前記異なるビューが、前記ユーザの異なる注視深度に関連付けされた異なる焦点深度で前記ユーザにより視認可能であるように、前記異なるビューの視覚表現を前記ディスプレイに表示させるステップと、
を含む方法。
【請求項１１】
カメラ・モジュールからの前記方向に沿って知覚可能なカメラ視覚情報を受信するステップを更に含み、
前記ビューの決定は、少なくとも部分的に前記カメラ視覚情報に基づく、請求項１０に記載の方法。
【請求項１２】
カメラ・モジュールから、前記位置からの前記異なる方向に沿って知覚可能なカメラ視覚情報を受信するステップを更に含み、
前記異なるビューの決定は、少なくとも部分的に前記カメラ視覚情報に基づく、請求項１０または１１に記載の方法。
【請求項１３】
前記ユーザの前記異なる注視深度を決定するステップと、
前記異なる注視深度は前記異なる焦点深度に対応するものであると決定するステップと、
を更に含み、
前記異なるビューの前記視覚表現の表示をさせることは、少なくとも、前記異なる注視深度は前記異なる焦点深度に対応するものであると決定に基づいている、
請求項１０ないし１２のいずれか１項に記載の方法。
【請求項１４】
前記ユーザの前記注視深度を決定するステップと、
前記注視深度は前記焦点深度に対応するものであると決定するステップと、
を更に含み、
前記ビューの前記視覚表現の表示をさせることは、少なくとも部分的に、前記注視深度が前記焦点深度に対応するものであるとの前記決定に基づく、
請求項１０ないし１３のいずれか１項に記載の方法。
【請求項１５】
異なる位置からの第３のビューを決定するステップであって、該第３のビューは、前記異なる位置から延びる第３の方向に沿って知覚可能な視覚情報を含む、ステップと、
前記第３のビューが第３の焦点深度で前記ユーザにより視認可能であるように、前記第３のビューの視覚表現を前記ディスプレイの上に表示させるステップと、
を更に含む、請求項１０ないしから１４のいずれか１項に記載の方法。
【請求項１６】
前記位置は装置の地理的位置であり、
前記位置からの前記ビューの決定は、前記装置の前記地理的位置からの前記ビューの決定を含み、
前記位置からの前記異なるビューの決定は前記装置の前記地理的位置からの前記異なるビューの決定を含む、
請求項１０ないし１５のいずれか１項に記載の方法。
【請求項１７】
プロセッサにより実行されると、
ある位置からのビューを決定するステップであって、該ビューはカメラ・モジュールの撮像領域の内における該位置から延びる方向に沿って知覚可能な視覚情報を含む、ステップと、
前記ビューが、ユーザの注視深度に関連付けされたある焦点深度で前記ユーザにより視認可能であるように、前記ビューの視覚表現をディスプレイの上に表示させるステップと、
前記位置からの異なるビューを決定するステップであって、該異なるビューは、異なる撮像領域の内における前記位置から延びる異なる方向に沿って知覚可能な視覚情報を含む、ステップと、
前記異なるビューが、前記ユーザの異なる注視深度と関連付けられた異なる焦点深度で前記ユーザにより視認可能であるように、前記ディスプレイの上に、前記異なるビューの視覚表現の表示させるステップと、を実行する命令を含むコンピュータ・プログラム。
【請求項１８】
プロセッサにより実行されると、
前記ユーザの前記異なる注視深度を決定するステップと、
前記注視深度は前記異なる焦点深度に対応するものであると決定するステップと、
を実行する命令を更に含み、
前記異なるビューの前記視覚表現の表示をさせることは、少なくとも部分的に、前記異なる注視深度は前記異なる焦点深度に対応するものであるとの決定に基づく、請求項１７に記載のコンピュータ・プログラム。
【請求項１９】
プロセッサにより実行されると、
前記ユーザの前記注視深度を決定するステップと、
前記注視深度が前記焦点深度に対応するものであると決定するステップと、
を実行する命令を更に含み、
前記ビューの前記視覚表現の表示をさせることは、少なくとも部分的に、前記注視深度が前記焦点深度に対応するものであるとの前記決定に基づく、
請求項１７または１８に記載のコンピュータ・プログラム。
【請求項２０】
プロセッサにより実行されると、
異なる位置からの第３のビューを決定するステップであって、該第３のビューは、前記異なる位置から延びる第３の方向に沿って知覚可能な視覚情報を含む、ステップと、
前記第３のビューが第３の焦点深度で前記ユーザにより視認可能であるように前記第３のビューの視覚表現の前記ディスプレイの上への表示をさせるステップと、
を実行する命令を更に含む、請求項１７ないし１９のいずれか１項に記載のコンピュータ・プログラム。
【発明の詳細な説明】
【技術分野】
【０００１】
本願は、一般に、ビューの視覚表現のディスプレイに関する。
【背景技術】
【０００２】
現代社会では電子装置がますます普及するようになり、実際の環境の知覚を容易にするようなこのような電子装置の利用を考慮することが望ましいことがある。例えば、電子装置のユーザは、そのユーザが自然に見ることのできる範囲を超える視覚情報を知覚すること、遠隔地理的位置の実際の環境を表す視覚情報を知覚すること、および／または、同様なことを直観的かつ柔軟に望むことができる。
【発明の概要】
【０００３】
本発明の例の様々な態様は特許請求の範囲に述べられる。
【０００４】
１つ以上の実施形態は、装置、コンピュータ可読媒体、非一時的コンピュータ可読媒体、コンピュータプログラム製品、および、ある位置からのあるビューであって、ある位置から延びるある方向に沿って知覚可能な視覚情報を含むあるビューを決定することと、あるビューがある焦点深度でユーザにより視認可能であるようにあるビューの視覚表現をディスプレイに表示させることと、ある位置からの異なるビューであって、ある位置から延びる異なる方向に沿って知覚可能な視覚情報を含む異なるビューを決定することと、異なるビューが異なる焦点深度でユーザにより視認可能であるように異なるビューの視覚表現をディスプレイに表示させることと、を含む方法を提供することができる。
【０００５】
１つ以上の実施形態は、装置、コンピュータ可読媒体、コンピュータプログラム製品、および、ある位置からのあるビューであって、ある位置から延びるある方向に沿って知覚可能な視覚情報を含むあるビューを決定する手段と、あるビューがある焦点深度でユーザにより視認可能であるようにあるビューの視覚表現をディスプレイに表示させる手段と、ある位置からの異なるビューであって、ある位置から延びる異なる方向に沿って知覚可能な視覚情報を含む異なるビューを決定する手段と、異なるビューが異なる焦点深度でユーザにより視認可能であるように異なるビューの視覚表現をディスプレイに表示させる手段と、を備える非一時的コンピュータ可読媒体を提供することができる。
【０００６】
少なくとも好ましい一実施形態において、ディスプレイはシースルー・ディスプレイであり、かつ、あるビューはある位置からのある方向に沿って知覚可能な視覚情報の非単一倍率を示す視覚情報である。
【０００７】
１つ以上の例示的な実施形態は、カメラモジュールからのある方向に沿って知覚可能なカメラ視覚情報の受け取りを更に行い、あるビューの決定は少なくとも部分的にカメラ視覚情報に基づく。
【０００８】
少なくとも１つの例示的な実施形態において、カメラモジュールは装置に備えられる。
【０００９】
少なくとも１つの例示的な実施形態において、カメラモジュールは別途装置に備えられる。
【００１０】
少なくとも１つの例示的な実施形態において、カメラモジュールはユーザに装着された装置に備えられる。
【００１１】
少なくとも１つの例示的な実施形態において、カメラモジュールは車両に搭載された装置に備えられる。
【００１２】
１つ以上の例示的な実施形態は、ある位置からの異なる方向に沿って知覚可能な、カメラモジュールからのカメラ視覚情報の受け取りを更に行い、異なるビューの決定は少なくとも部分的にカメラ視覚情報に基づく。
【００１３】
少なくとも１つの例示的な実施形態において、あるビューの視覚表現のディスプレイは、あるビューの視覚表現のディスプレイ領域が異なるビューの視覚表現のディスプレイ領域と重複するように行われる。
【００１４】
少なくとも１つの例示的な実施形態において、重複は、少なくとも部分的に異なるビューの視覚表現のディスプレイ領域と一致するあるビューの視覚表現のディスプレイ領域を特徴とする。
【００１５】
少なくとも１つの例示的な実施形態において、ディスプレイ領域はディスプレイ深度に依存しない。
【００１６】
少なくとも１つの例示的な実施形態において、あるビューの視覚表現のディスプレイ領域はあるビューの視覚表現をディスプレイしているディスプレイの少なくとも一部であり、かつ、異なるビューの視覚表現のディスプレイ領域は異なるビューの視覚表現をディスプレイしているディスプレイの少なくとも一部である。
【００１７】
少なくとも１つの例示的な実施形態において、異なるビューは、ある方向および異なる方向と交差する別の方向に沿って知覚可能な視覚情報を更に含むパノラマ視覚表現である。
【００１８】
少なくとも１つの例示的な実施形態において、パノラマ視覚表現はある位置からのある方向に沿って知覚可能な視覚情報を更に含む。
【００１９】
１つ以上の例示的な実施形態は、ユーザの注視深度の決定と、注視深度が異なる焦点深度に一致するという決定と、を更に行い、異なるビューの視覚表現を表示させることは、少なくとも部分的に、注視深度が異なる焦点深度に一致するという決定に基づく。
【００２０】
少なくとも１つの例示的な実施形態において、異なるビューの視覚表現をディスプレイに表示させることは、異なるビューの視覚表現がディスプレイ上のあるビューの視覚表現を少なくとも部分的にぼやけさせるように行われる。
【００２１】
１つ以上の例示的な実施形態は、ディスプレイ上でのあるビューの視覚表現のディスプレイを終了させることを更に行う。
【００２２】
少なくとも１つの例示的な実施形態において、異なるビューの視覚表現を表示させることは、異なるビューの視覚表現がディスプレイ上のディスプレイ領域に表示されるように行われる。
【００２３】
１つ以上の例示的な実施形態は、ユーザの注視位置の決定と、ユーザの注視位置がディスプレイ上で異なるビューの視覚表現のディスプレイ領域に一致するという決定と、を更に行い、異なるビューの視覚表現を表示させることは、少なくとも部分的に、注視位置がディスプレイ領域に一致するという決定に基づく。
【００２４】
１つ以上の例示的な実施形態は、ユーザの注視深度の決定と、注視深度がある焦点深度に一致するという決定と、を更に行い、あるビューの視覚表現を表示させることは、少なくとも部分的に、注視深度がある焦点深度に一致するという決定に基づく。
【００２５】
少なくとも１つの例示的な実施形態において、あるビューの視覚表現をディスプレイに表示させることは、あるビューの視覚表現がディスプレイ上の異なるビューの視覚表現を少なくとも部分的にぼやけさせるように行われる。
【００２６】
１つ以上の例示的な実施形態は、ディスプレイ上での異なるビューの視覚表現のディスプレイを終了させることを更に行う。
【００２７】
少なくとも１つの例示的な実施形態において、あるビューの視覚表現を表示させることは、あるビューの視覚表現がディスプレイ上のディスプレイ領域に表示されるように行われる。
【００２８】
１つ以上の例示的な実施形態は、ユーザの注視位置の決定と、ユーザの注視位置がディスプレイ上であるビューの視覚表現のディスプレイ領域に一致するという決定と、を更に行い、あるビューの視覚表現を表示させることは、少なくとも部分的に、注視位置がディスプレイ領域に一致するという決定に基づく。
【００２９】
少なくとも１つの例示的な実施形態において、ディスプレイは多深度ディスプレイであり、あるビューの視覚表現をディスプレイに表示させることはある焦点深度があるディスプレイ深度に一致するように行われ、かつ、異なるビューの視覚表現をディスプレイに表示させることは異なる焦点深度が他のディスプレイ深度に一致するように行われる。
【００３０】
１つ以上の例示的な実施形態は、ある位置として地理的位置を特定する情報の受け取りを更に行い、あるビューの決定は、ある方向に一致するある向きを有する地理的位置からのあるビューを表現するある画像の取得を含み、かつ、異なるビューの決定は、異なる方向に一致する他の向きを有する地理的位置からの異なるビューを表現する他の画像の取得を含む。
【００３１】
少なくとも１つの例示的な実施形態において、ある画像はパノラマ画像のある一部であり、かつ、他の画像はパノラマ画像の他の一部である。
【００３２】
少なくとも１つの例示的な実施形態において、ある位置は装置の地理的位置であり、ある位置からのあるビューの決定は装置の地理的位置からのあるビューの決定を含み、かつ、ある位置からの異なるビューの決定は装置の地理的位置からの異なるビューの決定を含む。
【００３３】
少なくとも１つの例示的な実施形態において、ある位置はユーザの地理的位置であり、ある位置からのあるビューの決定はユーザの地理的位置からのあるビューの決定を含み、かつ、ある位置からの異なるビューの決定はユーザの地理的位置からの異なるビューの決定を含む。
【００３４】
少なくとも１つの例示的な実施形態において、ある位置は、あるビューの視覚表現および異なるビューの視覚表現を表示するように制御された別途装置の地理的位置である。
【００３５】
少なくとも１つの例示的な実施形態において、ある位置は装置の位置であり、ある位置からのあるビューの決定は装置のある位置からのあるビューの決定を含み、かつ、ある位置からの異なるビューの決定は装置のある位置からの異なるビューの決定を含む。
【００３６】
少なくとも１つの例示的な実施形態において、ある焦点深度は、ユーザがある焦点深度であるビューの視覚表現に合焦させる場合、ユーザが異なる焦点深度で異なるビューの視覚表現に合焦させることを回避するように構成される。
【００３７】
少なくとも１つの例示的な実施形態において、ある焦点深度は、ある焦点深度でのあるビューの視覚表現への合焦が、異なる焦点深度での異なるビューの視覚表現への合焦を妨げるように構成される。
【００３８】
少なくとも１つの例示的な実施形態において、異なる焦点深度は、ユーザが異なる焦点深度で異なるビューの視覚表現に合焦させる場合、ユーザがある焦点深度であるビューの視覚表現に合焦させることを回避するように構成される。
【００３９】
少なくとも１つの例示的な実施形態において、異なる焦点深度は、異なる焦点深度での異なるビューの視覚表現への合焦が、ある焦点深度でのあるビューの視覚表現への合焦を妨げるように構成される。
【００４０】
少なくとも１つの例示的な実施形態において、ある位置から延びるある方向に沿って知覚可能な視覚情報は、撮像領域がある位置からのある方向を向くように方向付けられたカメラモジュールの撮像領域内の視覚情報である。
【００４１】
少なくとも１つの例示的な実施形態において、ある位置から延びる異なる方向に沿って知覚可能な視覚情報は、撮像領域がある位置からの異なる方向を向くように方向付けられたカメラモジュールの撮像領域内の視覚情報である。
【００４２】
少なくとも１つの例示的な実施形態において、あるビューの視覚表現をディスプレイに表示させることは、あるビューの視覚表現のディスプレイへのディスプレイを含む。
【００４３】
少なくとも１つの例示的な実施形態において、あるビューの視覚表現をディスプレイに表示させることは、あるビューの視覚表現を示す情報の別途装置への送信と、別途装置によりあるビューの視覚表現をディスプレイに表示させることと、を含む。
【００４４】
少なくとも１つの例示的な実施形態において、あるビューの視覚表現は、ある位置から延びるある方向に沿って知覚可能な視覚情報の少なくとも一部のパノラマ視覚表現を含む。
【００４５】
少なくとも１つの例示的な実施形態において、あるビューの視覚表現は、ある位置から延びる異なる方向に沿って知覚可能な視覚情報の少なくとも一部の視覚表現を更に含む。
【００４６】
少なくとも１つの例示的な実施形態において、異なるビューの視覚表現は、ある位置から延びる異なる方向に沿って知覚可能な視覚情報の少なくとも一部のパノラマ視覚表現を含む。
【００４７】
少なくとも１つの例示的な実施形態において、異なるビューの視覚表現は、ある位置から延びるある方向に沿って知覚可能な視覚情報の少なくとも一部の視覚表現を更に含む。
【図面の簡単な説明】
【００４８】
本発明の実施形態のより完全な理解のために、添付の図面を併用して以下の説明を行う。
【図１】少なくとも１つの例示的な実施形態に係る装置を示すブロック図である。
【図２Ａ】少なくとも１つの例示的な実施形態に係るシースルー・ディスプレイを例示する図である。
【図２Ｂ】少なくとも１つの例示的な実施形態に係るシースルー・ディスプレイを例示する図である。
【図３Ａ】少なくとも１つの例示的な実施形態に係る各位置からのビューを例示する図である。
【図３Ｂ】少なくとも１つの例示的な実施形態に係る各位置からのビューを例示する図である。
【図４Ａ】少なくとも１つの例示的な実施形態に係る視覚表現のディスプレイを例示する図である。
【図４Ｂ】少なくとも１つの例示的な実施形態に係る視覚表現のディスプレイを例示する図である。
【図４Ｃ】少なくとも１つの例示的な実施形態に係る視覚表現のディスプレイを例示する図である。
【図４Ｄ】少なくとも１つの例示的な実施形態に係る視覚表現のディスプレイを例示する図である。
【図４Ｅ】少なくとも１つの例示的な実施形態に係る視覚表現のディスプレイを例示する図である。
【図４Ｆ】少なくとも１つの例示的な実施形態に係る視覚表現のディスプレイを例示する図である。
【図４Ｇ】少なくとも１つの例示的な実施形態に係る視覚表現のディスプレイを例示する図である。
【図５】少なくとも１つの例示的な実施形態に係るビューの視覚表現のディスプレイに関連付けられた活動を例示する流れ図である。
【図６】少なくとも１つの例示的な実施形態に係るビューの視覚表現のディスプレイに関連付けられた活動を例示する流れ図である。
【図７】少なくとも１つの例示的な実施形態に係るビューの視覚表現のディスプレイに関連付けられた活動を例示する流れ図である。
【図８】少なくとも１つの例示的な実施形態に係るビューの視覚表現のディスプレイに関連付けられた活動を例示する流れ図である。
【発明を実施するための形態】
【００４９】
本発明の実施形態およびその潜在的利点は図１から図８を参照することで理解される。
【００５０】
全てではないがいくつかの実施形態が示される添付の図面を参照して、いくつかの実施形態を以下により完全に説明する。本発明の様々な実施形態は、多くの異なる形態で具体化されてもよく、本明細書で説明する実施形態に限定されるものとして解釈されるべきではない。むしろ、これらの実施形態は、適用される法的要求事項を本開示が満たすことができるように提供されるものである。全体にわたり、同様の参照番号は同様の要素を示す。本明細書において用いられる「データ」、「コンテンツ」および「情報」という用語並びに類似の用語は、本発明の実施形態に従って送信、受信および／または格納できるデータを指すように交換可能に用いられ得る。したがって、いかなるこのような用語の使用も、本発明の実施形態の趣旨および範囲を限定するように解釈されるべきではない。
【００５１】
また、本明細書において用いられる『回路構成』という用語は、（ａ）ハードウェア専用回路実装（アナログ回路構成および／またはデジタル回路構成による実装等）、（ｂ）互いに協働して本明細書において説明される１つ以上の機能を装置に実行させる１つ以上のコンピュータ可読メモリに格納されたソフトウェアおよび／またはファームウェア命令を含む一または複数のコンピュータプログラム製品と回路との組み合わせ、並びに、（ｃ）ソフトウェアまたはファームウェアが物理的に存在しない場合であっても動作にソフトウェアまたはファームウェアを必要とする、例えば一または複数のマイクロプロセッサまたは一または複数のマイクロプロセッサの一部のような回路を指す。この『回路構成』の定義は、任意の特許請求の範囲を含めて、本明細書において用いられるあらゆる回路構成に当てはまる。更なる例として、本明細書において用いられる『回路構成』という用語は、１つ以上の処理装置および／またはその処理装置の一または複数の部分、並びに、付随のソフトウェアおよび／またはファームウェアを備える実装を更に含む。別の例として、本明細書において用いられる『回路構成』という用語は、例えば、移動電話用のベースバンド集積回路若しくはアプリケーション処理装置集積回路、または、サーバ、携帯電話ネットワーク装置、他のネットワーク装置および／または他の計算装置における類似の集積回路を更に含む。
【００５２】
本明細書において定義される、物理的な媒体（揮発性メモリ素子または不揮発性メモリ素子等）を指す「非一時的コンピュータ可読媒体」は、電磁信号を指す「一時的コンピュータ可読媒体」とは区別できる。
【００５３】
図１は、少なくとも１つの例示的な実施形態に係る電子装置１０等の装置を示すブロック図である。しかしながら、例示されかつ以下に説明されるような電子装置は、本発明の実施形態から利益を享受できる電子装置の一例に過ぎないため、本発明の範囲を限定するように解釈されるべきではないことを理解されたい。電子装置１０は、具体例として例示されかつ以下に説明されるが、他の種類の電子装置は本発明の実施形態を容易に利用し得る。電子装置１０は、携帯情報端末（ｐｅｒｓｏｎａｌ  ｄｉｇｉｔａｌ  ａｓｓｉｓｔａｎｔ：ＰＤＡｓ）、ページャ、モバイルコンピュータ、デスクトップコンピュータ、テレビジョン、ゲーム装置、ラップトップコンピュータ、タブレットコンピュータ、メディアプレーヤー、カメラ、ビデオレコーダ、移動電話、全地球測位システム（ＧＰＳ）装置、自動車、キオスク、電子テーブルおよび／または他のいかなる種類の電子システムであってもよい。更に、少なくとも１つの例示的な実施形態の装置は、電子装置全体である必要はなく、他の例示的な実施形態の電子装置の一構成要素または構成要素群であってもよい。例えば、装置は、集積回路、集積回路セットおよび／または同種のものであってもよい。
【００５４】
更に、装置は、それが移動性を提供するように意図されているか否かにかかわらず、本発明の実施形態を容易に利用し得る。この点に関して、本発明の実施形態はモバイルアプリケーションに関連して説明され得るが、本発明の実施形態が、移動通信事業内および移動通信事業外の両方において様々な他のアプリケーションに関連して利用され得ることを理解されたい。例えば、装置は、大画面テレビジョン、電子テーブル、キオスク、自動車等の持ち運び不可能な装置および／または同種のものの少なくとも一部であってもよい。
【００５５】
少なくとも１つの例示的な実施形態において、電子装置１０は処理装置１１とメモリ１２とを備える。処理装置１１は、いかなる種類の処理装置、制御装置、埋め込み制御装置、処理装置コアおよび／または同種のものであってもよい。少なくとも１つの例示的な実施形態において、処理装置１１は、コンピュータプログラムコードを利用して、１つ以上の行動を装置に実行させる。メモリ１２は、データの一次記憶用のキャッシュ領域を含む揮発性ランダムアクセスメモリ（ＲＡＭ）等の揮発性メモリ、および／または、埋め込まれ得るかつ／または着脱可能であり得る不揮発性メモリ等の他のメモリを含み得る。不揮発性メモリは、ＥＥＰＲＯＭ、フラッシュメモリおよび／または同種のものを含み得る。メモリ１２は、多数の情報およびデータのうち、任意のものを格納できる。情報およびデータは、本明細書において説明される機能等の電子装置１０の１つ以上の機能を実行するように電子装置１０により使用され得る。少なくとも１つの例示的な実施形態において、メモリ１２は、メモリおよびコンピュータプログラムコードが、本明細書において説明される１つ以上の行動を処理装置と協働して装置に実行させるように構成されるようなコンピュータプログラムコードを含む。
【００５６】
電子装置１０は通信装置１５を更に備えてもよい。少なくとも１つの例示的な実施形態において、通信装置１５は、送信機および／または受信機と動作可能に通信しているアンテナ（または多重アンテナ）、有線コネクタおよび／または同種のものを備える。少なくとも１つの例示的な実施形態において、処理装置１１は、送信機に信号を提供しかつ／または受信機から信号を受信する。信号は、通信インタフェース規格、ユーザ音声、受信データ、ユーザ生成データおよび／または同種のものに応じた信号情報を含んでもよい。通信装置１５は、１つ以上のエアインタフェース規格、通信プロトコル、変調形式およびアクセス形式で動作してもよい。例として、電子通信装置１５は、第２世代（２Ｇ）の無線通信プロトコルＩＳ−１３６（時分割多元接続（ＴＤＭＡ））、グローバル移動体通信システム（ＧＳＭ）およびＩＳ−９５（符号分割多元接続（ＣＤＭＡ））、ユニバーサル移動体通信システム（ＵＭＴＳ）、ＣＤＭＡ２０００、広帯域ＣＤＭＡ（ＷＣＤＭＡ）および時分割同期ＣＤＭＡ（ＴＤ−ＳＣＤＭＡ）等の第３世代（３Ｇ）の無線通信プロトコル、並びに／または、第４世代（４Ｇ）の無線通信プロトコル、８０２．１１等の無線ネットワークプロトコル、ブルートゥース（Ｂｌｕｅｔｏｏｔｈ）等の短距離無線プロトコルに従って動作してもよく、かつ／または、同種のものに従って動作してもよい。通信装置１５は、イーサネット（Ｅｔｈｅｒｎｅｔ）、デジタル加入者回線（ＤＳＬ）、非同期転送モード（ＡＴＭ）等の有線プロトコルおよび／または同種のものに従って動作してもよい。
【００５７】
処理装置１１は、音声、映像、通信、ナビゲーション、論理関数および／または同種のものを実現すると共に、例えば本明細書において説明される１つ以上の機能を含む本発明の実施形態を実現する、回路構成等の手段を備えてもよい。例えば、処理装置１１は、例えば本明細書において説明される１つ以上の機能を含む各種機能を実行する、デジタル信号処理装置、マイクロプロセッサ装置、各種アナログ・デジタル変換器、デジタル・アナログ変換器、処理回路構成および他の支援回路等の手段を備えてもよい。装置は、それぞれの能力に応じたこれらの装置のうち電子装置１０の制御および信号処理機能を実行してもよい。したがって、処理装置１１は、変調および送信に先立ってメッセージおよびデータを符号化しかつインターリーブするための機能を備え得る。処理装置１は、内部ボコーダを更に備えてもよく、かつ、内部データモデムを備えてもよい。また、処理装置１１は、１つ以上のソフトウェアプログラムを稼働させるための機能を備えてもよく、そのソフトウェアプログラムは、メモリに格納されてもよく、かつ、とりわけ、例えば本明細書において説明される１つ以上の機能を含む少なくとも１つの例示的な実施形態を処理装置１１に実現させてもよい。例えば、処理装置１１は従来のインターネットブラウザ等の接続性プログラムを稼働してもよい。接続性プログラムは、例えば、伝送制御プロトコル（ＴＣＰ）、インターネットプロトコル（ＩＰ）、ユーザデータグラムプロトコル（ＵＤＰ）、インターネットメッセージアクセスプロトコル（ＩＭＡＰ）、郵便局プロトコル（ＰＯＰ）、簡易メール転送プロトコル（ＳＭＴＰ）、無線アプリケーションプロトコル（ＷＡＰ）、ハイパテキスト転送プロトコル（ＨＴＴＰ）および／または同種のものに応じた位置ベースコンテンツおよび／または他のウェブページコンテンツ等のインターネットコンテンツを電子装置１０が送信しかつ受信することを可能にしてもよい。
【００５８】
電子装置１０は、出力を提供しかつ／または入力を受け付けるためのユーザインタフェースを備えてもよい。電子装置１０は、出力装置１４を備えてもよい。出力装置１４は、鳴鐘装置、イヤホン、スピーカ等の音声出力装置および／または同種のものを備えてもよい。出力装置１４は、振動変換器、電子的に変形可能な表面、電子的に変形可能な構造等の触覚出力装置および／または同種のものを備えてもよい。出力装置１４は、ディスプレイ、照明等の視覚出力装置および／または同種のものを備えてもよい。少なくとも１つの例示的な実施形態において、装置は情報をディスプレイさせ、表示させることは、情報を装置に備えられたディスプレイに表示すること、ディスプレイを備える別途装置に情報を送信することおよび／または同種のことを含んでもよい。電子装置は入力装置１３を備えてもよい。入力装置１３は、光センサ、近接センサ、マイクロフォン、接触覚センサ、力センサ、ボタン、キーパッド、運動センサ、磁場センサ、カメラおよび／または同種のものを備えてもよい。接触覚センサおよびディスプレイは、タッチディスプレイとして特徴付けられてもよい。タッチディスプレイを含む実施形態において、タッチディスプレイは、単一接点、多接点および／または同種のものからの入力を受け付けるように構成されてもよい。このような実施形態において、タッチディスプレイおよび／または処理装置は、少なくとも部分的に、位置、運動、速度、接触面積および／または同種のものに基づいて入力を判断してもよい。少なくとも１つの例示的な実施形態において、装置は、入力の指示を受け取る。装置は、センサ、ドライバ、別途装置および／または同種のものからの指示を受け取ってもよい。入力を示す情報は、入力、入力の発生を示す入力の特徴および／または同種のものを示す情報を伝達する情報を含んでもよい。
【００５９】
電子装置１０は、抵抗、容量、赤外、ひずみ計、表面波、光学撮像、分散信号技術、音響パルス認識または他の技術のうち、任意のものにより接触認識を可能にするように、かつ、その際、位置、および、接触に関連付けられた他のパラメータを示す信号を提供するように構成されたタッチディスプレイを含む様々なタッチディスプレイのうち、任意のタッチディスプレイを備えてもよい。また、タッチディスプレイは、選択物体（指、スタイラス、ペン、鉛筆または異なる位置指示装置等）とタッチディスプレイとの間の実際の物理的接触として定義され得る接触事象の形態で入力の指示を受け取るように構成されてもよい。或いは、接触事象は、タッチディスプレイとの物理的接触が行われていない場合であっても、ディスプレイされた物体上に浮かぶようにまたは物体を既定の距離内に接近させるように選択物体をタッチディスプレイに近接させることとして定義されてもよい。そのようなものとして、接触入力は、実際の物理的接触を伴う接触事象と、タッチディスプレイへの選択物体の近接の結果等、物理的接触を伴わずにタッチディスプレイにより検出される接触事象と、を含むタッチディスプレイにより検出されたいかなる入力を含んでもよい。タッチディスプレイは、接触入力との関連でタッチスクリーンに印加された力に関連付けられた情報を受け付け可能であってもよい。例えば、タッチスクリーンは、重い押圧接触入力と軽い押圧接触入力とを区別してもよい。少なくとも１つの例示的な実施形態において、ディスプレイは、二次元情報、三次元情報および／または同種のものをディスプレイしてもよい。
【００６０】
キーパッドを含む実施形態において、キーパッドは、電子装置１０を操作するための数字（例えば、０〜９）キー、記号キー（例えば、＃、＊）、アルファベットキーおよび／または同種のものを備えてもよい。例えば、キーパッドは、従来のＱＷＥＲＴＹキーパッド配列を有してもよい。キーパッドは、関連機能を備えた各種ソフトキーを更に備えてもよい。追加として、或いは、代案として、電子装置１０は、ジョイスティックまたは他のユーザ入力インタフェース等のインタフェース装置を備えてもよい。
【００６１】
入力装置１３は媒体取り込み素子を備えてもよい。媒体取り込み素子は、記憶、ディスプレイまたは送信用の画像、映像および／または音声を取り込むためのいかなる手段であってもよい。例えば、媒体取り込み素子がカメラモジュールである少なくとも１つの例示的な実施形態において、カメラモジュールは、撮像画像からデジタル画像ファイルを形成し得るデジタルカメラを備えてもよい。そのようなものとして、カメラモジュールは、レンズまたは他の一または複数の光学構成要素等のハードウェア、および／または、撮像画像からデジタル画像ファイルを作成するために必要なソフトウェアを備えてもよい。或いは、カメラモジュールが画像を見るためのハードウェアのみを備えると同時に、電子装置１０のメモリ素子が、撮像画像からデジタル画像ファイルを作成するために必要なソフトウェアの形態で処理装置１１により実行するための命令を格納してもよい。少なくとも１つの例示的な実施形態において、カメラモジュールは、処理装置１１が画像データを処理するのを支援するコプロセッサ並びに画像データを圧縮および／または伸長するための符号器および／または復号器等の処理素子を更に備えてもよい。符号器および／または復号器は、ＪＰＥＧ（Ｊｏｉｎｔ  Ｐｈｏｔｏｇｒａｐｈｉｃ  Ｅｘｐｅｒｔｓ  Ｇｒｏｕｐ）標準形式等の標準形式に従って符号化および／または復号化してもよい。
【００６２】
図２Ａおよび図２Ｂは、少なくとも１つの例示的な実施形態に係るシースルー・ディスプレイを例示する図である。図２Ａおよび図２Ｂの例は単なる例に過ぎず、特許請求の範囲を限定するものではない。例えば、シースルー・ディスプレイの構成は変化してもよく、ユーザとシースルー・ディスプレイとの関係は変化してもよく、シースルー・ディスプレイの形状は変化してもよく、シースルー・ディスプレイの不透明度は変化してもよく、かつ／または、同種の変化があってもよい。
【００６３】
現代では、電子装置はより普及および浸透している。ユーザは、このような装置を様々な目的でしばしば利用する。例えば、ユーザは、装置を利用して装置のディスプレイに表示される情報を見ること、装置のディスプレイ上でのユーザを取り巻く環境に関連付けられた情報を知覚することおよび／または同種のことができる。多くの場合、ユーザは、非侵襲的に、非侵入式に、慎重にかつ／または同種の方法で装置に関連付けられた情報を見たいと望み得る。このような状況では、ディスプレイがシースルー・ディスプレイであることが望ましいこともある。少なくとも１つの例示的な実施形態において、シースルー・ディスプレイは、ユーザに情報を提示するディスプレイであるが、ユーザに対してディスプレイの反対側にある物体がそのディスプレイを介して見える。シースルー・ディスプレイは、窓、風防ガラス、日よけ板、眼鏡、ヘッドマウントディスプレイおよび／または同種のものに備えられてもよい。少なくとも１つの例示的な実施形態において、装置はヘッドマウントディスプレイである。ヘッドマウントディスプレイは、例えば、頭部に装着できるディスプレイ、ユーザの頭部上の位置および／またはユーザの頭部に近接した位置で装着できる素子に連結されたディスプレイ、ユーザの頭部上の位置および／またはユーザの頭部に近接した位置で装着できるディスプレイおよび／または同種のものであってもよい。
【００６４】
場合によっては、ディスプレイのディスプレイ範囲を超えて配置され得る物体をユーザが眺めるのをディスプレイが妨げることが望ましいこともある。例えば、ユーザは、立体ディスプレイに表示される情報を入手すること、立体背景に対して表示される情報を入手すること、シースルー・ディスプレイ上の情報の知覚に関連付けられ得る注意を逸らすものを回避することおよび／または同種のことを好み得る。少なくとも１つの例示的な実施形態において、ヘッドマウントディスプレイは不透明ディスプレイを備えてもよい。不透明ディスプレイは、シースルー・ディスプレイではないディスプレイ、ディスプレイの反対側にある物体がそのディスプレイを介して覆い隠され得るディスプレイおよび／または同種のものであり得る。
【００６５】
図２Ａは、少なくとも１つの例示的な実施形態に係るシースルー・ディスプレイ２０２を例示する図である。少なくとも１つの例示的な実施形態において、情報がシースルー・ディスプレイを介して視認可能な１つ以上の物体に一致するように、その情報をそのシースルー・ディスプレイに表示することを拡張現実と呼ぶ。図２Ａの例において、ユーザ２０１は、シースルー・ディスプレイ２０２を介して物体２０５および２０６を知覚できる。少なくとも１つの例示的な実施形態において、シースルー・ディスプレイはユーザに情報をディスプレイできる。例えば、ディスプレイ２０２は、情報２０３および情報２０４をディスプレイしてもよい。情報２０３および情報２０４は、その情報が、物体２０５等の、シースルー・ディスプレイ２０２を介して視認可能な１つ以上の物体に一致するように、ディスプレイ２０２上に配置されてもよい。このような例において、情報２０３は、物体２０５に関連付けられ、物体２０５を識別しかつ／または物体２０５に対して同種のものであり得る。例えば、情報２０３は、物体２０５の同一性を示してもよい。少なくとも１つの例示的な実施形態において、ディスプレイ２０２はヘッドマウントディスプレイに備えられてもよい。
【００６６】
図２Ｂは、少なくとも１つの例示的な実施形態に係るシースルー・ディスプレイを例示する図である。少なくとも１つの例示的な実施形態において、シースルー・ディスプレイは接眼ディスプレイ（ｎｅａｒ  ｅｙｅ  ｄｉｓｐｌａｙ）である。接眼ディスプレイは、ユーザの眼に近接して配置されたシースルー・ディスプレイである。図２Ｂの例は、各レンズにおける接眼ディスプレイを備える眼鏡を例示する。図２Ｂの例において、右側の接眼ディスプレイは情報２１３Ａおよび２１４Ａをディスプレイしており、左側の接眼ディスプレイは情報２１３Ｂおよび２１４Ｂをディスプレイしている。少なくとも１つの例示的な実施形態において、情報２１３Ａは情報２１３Ｂに関連付けられてもよい。例えば、情報２１３Ａの内容は情報２１３Ｂの内容と同一であってもよい。場合によっては、情報２１３Ａと情報２１３Ｂとで内容が同一であっても、右側の接眼ディスプレイ上の情報２１３Ａの位置は、左側の接眼ディスプレイ上の情報２１３Ｂの位置から変化し得る。このように、装置は、左側の接眼ディスプレイと右側の接眼ディスプレイとの間で情報の位置を変化させることで、ユーザにより知覚される情報の視差を変化させてもよい。このように、装置は、ユーザにより知覚される情報の深度を変化させてもよい。
【００６７】
図３Ａおよび図３Ｂは、少なくとも１つの例示的な実施形態に係る各位置からのビューを例示する図である。図３Ａおよび図３Ｂの例は単なる例に過ぎず、特許請求の範囲を限定するものではない。例えば、ビューは変化してもよく、位置は変化してもよく、方向は変化してもよく、かつ／または、同種の変化があってもよい。
【００６８】
多くの場合、ユーザは、特定の環境の知覚を容易にするために電子装置を利用したいと望み得る。例えば、ユーザは、ユーザを取り巻く環境に関連付けられた視覚情報、特定の位置に関連付けられた視覚情報および／または同種のものの知覚を容易にするために電子装置を利用したいと望み得る。例えば、自転車に乗ったユーザは、ユーザの後方の環境、ユーザの側方の環境、ユーザの前方の環境および／または同種のものに関連付けられた視覚情報を知覚したいと望み得る。このような例において、視覚情報は、安全、環境への意識および／または同種のものに関連付けられた事情に対して望ましいものであり得る。
【００６９】
少なくとも１つの例示的な実施形態において、装置は、ある位置からのあるビューを決定する。あるビューは、ある位置から延びるある方向、ある位置から延びる異なる方向および／または同種のものに沿って知覚可能な視覚情報を含んでもよい。ある位置は、装置の位置、装置のユーザの位置、装置の地理的位置、別途装置の位置および／または同種のものであってもよい。例えば、図３Ａにおいて、位置３０２は装置の位置である。図３Ａの例において、ビュー３１２は、ビュー境界３０４および３０６により規定される方向のビューである。例えば、ビュー３１２は、位置３０２の前方のビューであってもよい。図３Ａの例において、車両３１６は、ビュー３１２内にありかつ位置３０２から延びるある方向に沿って知覚可能である。
【００７０】
少なくとも１つの例示的な実施形態において、装置は、カメラモジュールからのある方向に沿って知覚可能なカメラ視覚情報を受け取る。カメラモジュールは、上述の装置、別途装置、ユーザに装着されたカメラモジュール装置、車両に搭載されたカメラモジュール装置および／または同種のものに備えられてもよい。例えば、カメラモジュールは、ユーザに装着されたヘッドマウントディスプレイに備えられてもよく、カメラモジュールは、車両、ロボット、空中車両、自転車などに搭載されたカメラモジュール装置および／または同種のものであってもよい。少なくとも１つの例示的な実施形態において、あるビューの決定は、少なくとも部分的に、カメラモジュールから受け取ったカメラ視覚情報に基づいてもよい。ある位置から延びるある方向に沿って知覚可能な視覚情報は、カメラモジュールの撮像領域内の視覚情報であってもよい。例えば、カメラモジュールは、撮像領域がある位置からのある方向を向くように方向付けられてもよい。このような例において、カメラモジュールの撮像領域は、少なくとも部分的にビュー境界により規定されてもよい。そのようなものとして、カメラモジュールの撮像領域は、ビュー境界集合により規定されてもよい。例えば、図３Ａにおいて、ある位置にある装置は、カメラモジュールを備えてもよい。図３Ａの例において、ビュー境界３０４および３０６は、カメラモジュールの撮像領域を示す。例えば、ビュー３１２は、カメラモジュールの撮像領域内の位置３０２から延びるある方向に沿って知覚可能な位置３０２を取り巻く環境の一部に関連付けられた視覚情報を含んでもよい。図３Ａの例において、車両３１６は、ビュー３１２内にあるので、カメラモジュールの撮像領域内にある。
【００７１】
特定の位置を取り巻く環境の知覚を容易にするために、ユーザがある位置に関連付けられた二以上のビューを知覚できるようにすることが望ましいこともある。少なくとも１つの例示的な実施形態において、装置は、ある位置からのある方向に沿って知覚可能なカメラモジュールからのあるカメラ視覚情報を受け取り、かつ、ある位置からの異なる方向に沿って知覚可能な他のカメラモジュールからの他のカメラ視覚情報を受け取る。このような例示的な一実施形態において、あるビューの決定は、少なくとも部分的に、あるカメラ視覚情報に基づいてもよく、かつ、異なるビューの決定は、少なくとも部分的に、他のカメラ視覚情報に基づいてもよい。このような例示的な一実施形態において、あるカメラモジュールは、あるカメラモジュールの撮像領域がある位置からのある方向を向くように方向付けられてもよく、かつ、他のカメラモジュールは、他のカメラモジュールの撮像領域がある位置からの異なる方向を向くように方向付けられてもよい。少なくとも１つの例示的な実施形態において、装置は、カメラモジュールからある位置からのある方向に沿ってかつある位置からの異なる方向に沿って知覚可能なカメラ視覚情報を受け取る。例えば、カメラモジュールは、カメラモジュールの撮像領域がある方向および異なる方向に一致するように構成されてもよい。例えば、カメラモジュールは、ある位置からのある方向に沿ってかつある位置からの異なる方向に沿って知覚可能な視覚情報を含むパノラマ視覚情報を撮像してもよい。例えば、図３Ａに示すように、ビュー３１２は、位置３０２から延びるある方向における位置３０２を取り巻く環境のある一部であり、かつ、ビュー３１４Ａは、位置３０２から延びる異なる方向における位置３０２を取り巻く環境の他の一部である。図３Ａの例において、ビュー３１４Ａは、カメラモジュールの撮像領域内の位置３０２から延びる異なる方向に沿って知覚可能なビュー境界３０８および３１０により規定される位置３０２を取り巻く環境の一部である。図３Ａの例において、樹木３１８は、ビュー３１４Ａ内にあるので、カメラモジュールの撮像領域内にある。少なくとも１つの例示的な実施形態において、ビュー３１２は、あるカメラモジュールに関連付けられており、かつ、ビュー３１４Ａは、他のカメラモジュールに関連付けられている。
【００７２】
少なくとも１つの例示的な実施形態において、ある位置は装置の位置である。このような例示的な一実施形態において、ある位置からのあるビューの決定は、装置の位置からのあるビューの決定を含む。このような例示的な一実施形態において、ある位置からの異なるビューの決定は、装置の位置からの異なるビューの決定を含む。例えば、装置は、ユーザの頭部に装着されたヘッドマウントディスプレイであってもよい。ヘッドマウントディスプレイは、例えば、ある方向を向くように方向付けられたあるカメラモジュールと、異なる方向を向くように方向付けられた他のカメラモジュールと、を備えてもよい。このような例において、装置は、ユーザの頭部上の位置で装着されたカメラモジュールの位置から延びるある方向におけるあるビューを決定し、かつ、ユーザの頭部上の位置で装着された他のカメラモジュールの位置から延びる異なる方向における異なるビューを決定してもよい。
【００７３】
少なくとも１つの例示的な実施形態において、ある位置は、別途装置の地理的位置である。このような例示的な一実施形態において、ある位置からのあるビューの決定は、別途装置の地理的位置からのあるビューの決定を含み、かつ、ある位置からの異なるビューの決定は、別途装置の地理的位置からの異なるビューの決定を含む。例えば、別途装置は、特定の地理的位置に配置されてもよく、かつ、あるカメラモジュール、他のカメラモジュールおよび／または同種のものを備えてもよい。あるカメラモジュールは、地理的位置から延びるある方向を向くように方向付けられてもよく、かつ、他のカメラモジュールは、地理的位置から延びる異なる方向を向くように方向付けられてもよい。このような例において、装置は、地理的位置にある別途装置に備えられたあるカメラモジュールの位置から延びるある方向におけるあるビューを決定してもよい。このような例示的な一実施形態において、装置は、地理的位置にある別途装置に備えられた他のカメラモジュールの位置から延びる異なる方向における異なるビューを決定してもよい。
【００７４】
別途装置の地理的位置からのあるビューの決定を容易にするために、地理的位置に関連付けられた情報、地理的位置からの１つ以上のビューに関連付けられた情報および／または同種のものを伝達することが望ましいこともある。例えば、ユーザは、特定の地理的位置を取り巻く環境を知覚したいと望み得る。このような例示的な一実施形態において、ユーザは、例えば、地理的位置からの視覚情報を含むビューの１つ以上の視覚表現を見るという目的で地理的位置を取り巻く環境を探索したいと望み得る。少なくとも１つの例示的な実施形態において、装置は、ある位置として地理的位置を特定する情報を受け取る。少なくとも１つの例示的な実施形態において、あるビューの決定は、特定の方向における地理的位置から延びるあるビューを表現するある画像の取得を含んでもよい。ある画像は、例えば、ある方向に一致するある方位を有してもよい。このような例示的な一実施形態において、異なるビューの決定は、異なる方向における地理的位置から延びる異なるビューを表現する他の画像の取得を含んでもよい。他の画像は、例えば、異なる方向に一致する他の方位を有してもよい。場合によっては、ある画像および他の画像はパノラマ画像に含まれてもよい。パノラマ画像は、ある方向、異なる方向および／または同種のものに関連付けられた視覚情報を含む画像であってもよい。少なくとも１つの例示的な実施形態において、ある画像はパノラマ画像のある一部であり、かつ、他の画像はパノラマ画像の他の一部である。例えば、パノラマ画像は、ある位置からの全１８０度の垂直視界および全３６０度の水平視界に関連付けられた視覚情報を含む、ある位置で撮像された球面パノラマ画像であってもよい。このような例において、ある位置からのあるビューは、少なくとも部分的に、あるビューのある方向に一致する球面パノラマ画像のある一部に基づいて決定されてもよく、かつ、ある位置からの異なるビューは、少なくとも部分的に、異なるビューの異なる方向に一致する球面パノラマ画像の他の一部に基づいて決定されてもよい。
【００７５】
場合によっては、ユーザは、ある位置からのビューおよび異なる位置からのビューを知覚したいと望み得る。例えば、ユーザは、ある地理的位置からのあるビューを知覚し、他の地理的位置からの異なるビューを知覚しかつ／または同種のことを行いたいと望み得る。このような例示的な一実施形態において、ある位置からのあるビューの決定は、ある別途装置のある地理的位置からのあるビューの決定を含み、かつ、異なる位置からの異なるビューの決定は、他の別途装置の他の地理的位置からの異なるビューの決定を含む。例えば、ある別途装置は、特定の地理的位置に配置されてもよく、かつ、あるカメラモジュールを備えてもよい。他の別途装置は、他の特定の地理的位置に配置されてもよく、かつ、他のカメラモジュールを備えてもよい。あるカメラモジュールは、ある地理的位置から延びるある方向を向くように方向付けられてもよく、かつ、他のカメラモジュールは、他の地理的位置から延びる異なる方向を向くように方向付けられてもよい。このような例において、装置は、ある地理的位置にあるある別途装置に備えられたあるカメラモジュールのある位置から延びるある方向におけるあるビューを決定してもよい。このような例示的な一実施形態において、装置は、他の地理的位置にある他の別途装置に備えられた他のカメラモジュールの異なる位置から延びる異なる方向における異なるビューを決定してもよい。
【００７６】
図３Ａは、少なくとも１つの例示的な実施形態に係るある位置からのビューを例示する図である。図３Ａの例において、ビュー３１２は、ビュー境界３０４および３０６により規定される位置３０２を取り巻く環境の一部に関連付けられた視覚情報を含む。図３Ａの例において、ビュー境界３０４および３０６は、位置３０２にありかつビュー３１２の方向に向けられたあるカメラモジュールのある撮像領域を示す。あるビューの方向は、あるビューのビュー境界間の角度と交差する方向であってもよい。例えば、ビュー３１２の方向は、ビュー境界３０４とビュー境界３０６との間の角度と交差する方向である。例えば、ビュー３１２は、位置３０２からのビュー３１２の方向に沿って知覚可能であり、かつ、あるカメラモジュールのある撮像領域内にある、位置３０２を取り巻く環境の一部に関連付けられた視覚情報を含んでもよい。図３Ａの例において、車両３１６は、ビュー３１２内にあるので、あるカメラモジュールのある撮像領域内にある。図３Ａの例において、ビュー３１４Ａは、ビュー境界３０８および３１０により規定される位置３０２を取り巻く環境の一部に関連付けられた視覚情報を含む。図３Ａの例において、ビュー境界３０８および３１０は、位置３０２にありかつビュー３１４Ａの方向に向けられた他のカメラモジュールの他の撮像領域を示す。例えば、ビュー３１４Ａは、位置３０２からのビュー３１４Ａの方向に沿って知覚可能であり、かつ、他のカメラモジュールの他の撮像領域内にある、位置３０２を取り巻く環境の一部に関連付けられた視覚情報を含んでもよい。図３Ａの例において、樹木３１８は、ビュー３１４Ａ内にあるので、他のカメラモジュールの撮像領域内にある。少なくとも１つの例示的な実施形態において、ビュー３１２は、少なくとも部分的に、位置３０２で撮像されたパノラマ画像のある一部に基づいて決定され、かつ、ビュー３１４Ａは、少なくとも部分的に、パノラマ画像の他の一部に基づいて決定される。
【００７７】
図３Ａの例において、樹木３２０、３２２および３２６並びにベンチ３２４は、位置３０２にあるあるカメラモジュールのある撮像領域に一致することができない。特定の位置を取り巻く環境の知覚をより容易にするために、ある位置からの多数の異なる方向に沿って知覚可能であり得る視覚情報をユーザが知覚できるようにすることが望ましいこともある。例えば、ある位置からのある方向に沿った、異なる方向に沿った、ある方向および異なる方向と交差する別の方向に沿ったかつ／または同種のものに沿った視覚情報をユーザが知覚できるようにすることが望ましいこともある。例えば、多数の異なる方向に沿って知覚可能であり得る視覚情報は、パノラマ視覚表現がある位置からの１８０度の水平視界、２１０度の水平視界、３６０度の水平視界および／または同種のものに沿った視覚情報を含むように互いに縫合されてもよい。
【００７８】
図３Ｂは、少なくとも１つの例示的な実施形態に係るある位置からのビューを例示する図である。図３Ｂの例において、ビュー３１２は、図３Ａのビュー３１２に対応する。図３Ｂの例において、ビュー３１４Ｂは、ビュー３１４Ｂがビュー境界３０４および３０６により規定されるように構成された、図３Ａのビュー３１４Ａの再構成である。このように、ビュー３１２およびビュー３１４Ｂは、位置３０２からの３６０度の水平視界に沿って知覚可能な視覚情報を集合的に含む。図３Ｂの例において、ビュー３１２は、位置３０２にありかつビュー３１２の方向に向けられたあるカメラモジュールのある撮像領域に関連付けられた視覚情報を含む。図３Ｂの例において、ビュー３１４Ｂは、位置３０２にありかつビュー３１４Ｂの方向に向けられた他のカメラモジュールの他の撮像領域に関連付けられた視覚情報を含む。例えば、ビュー３１４Ｂは、位置３０２からのビュー３１４Ｂの方向に沿って知覚可能であり、かつ、他のカメラモジュールの他の撮像領域内にある、位置３０２を取り巻く環境の一部に関連付けられた視覚情報を含んでもよい。図３Ｂの例において、樹木３１８、３２０、３２２および３２６並びにベンチ３２４は、ビュー３１４Ｂ内にあるので、他のカメラモジュールの撮像領域内にある。少なくとも１つの例示的な実施形態において、ビュー３１２は、少なくとも部分的に、位置３０２で撮像されたパノラマ画像のある一部に基づいて決定され、かつ、ビュー３１４Ｂは、少なくとも部分的に、パノラマ画像の他の一部に基づいて決定される。
【００７９】
図３Ａおよび図３Ｂの例は不連続な個別のビューを表しているが、場合によっては、あるビューと異なるビューとは、少なくとも部分的に重複してもよい。例えば、ビュー３１４Ｂは、３６０度の水平視界に沿って知覚可能な視覚情報を含んでもよい。このような例において、ビュー３１４Ｂは、ビュー３１２に含まれる視覚情報の一部、ビュー３１２に含まれる視覚情報の全体および／または同種のものを含んでもよい。例えば、ビュー３１４Ｂは、車両３１６と同様に、樹木３１８、３２０、３２２および３２６並びにベンチ３２４に関連付けられた視覚情報を含んでもよい。そのようなものとして、ビュー３１４Ｂは、位置３０２からの３６０度の水平視界にまたがって知覚可能なパノラマ視覚情報を含んでもよい。
【００８０】
図４Ａから図４Ｇは、少なくとも１つの例示的な実施形態に係る視覚表現のディスプレイを例示する図である。図４Ａから図４Ｇの例は単なる例に過ぎず、特許請求の範囲を限定するものではない。例えば、ビューは変化してもよく、視覚表現は変化してもよく、注視深度および／または焦点深度は変化してもよく、ディスプレイ構成は変化してもよく、かつ／または、同種の変化があってもよい。
【００８１】
多くの場合、ある位置を取り巻く環境の知覚を容易にするために、ユーザは、あるビュー、異なるビューおよび／または同種のものに関連付けられた視覚情報の表現を見たいと望み得る。例えば、ユーザは、ヘッドマウントディスプレイを介してあるビュー、異なるビュー等を知覚したいと望み得る。少なくとも１つの例示的な実施形態において、装置は、あるビューの視覚表現をディスプレイに表示させる。例えば、装置は、あるビューの視覚表現を装置に備えられたディスプレイにディスプレイしてもよく、あるビューの視覚表現を示す情報をディスプレイ用の別途装置に送信してもよく、別途装置にあるビューの視覚表現をディスプレイさせてもよく、かつ／または、同種のことを行ってもよい。
【００８２】
多くの場合、ユーザは、あるビュー、異なるビューおよび／または同種のものを、ユーザがあるビューから異なるビューへ、異なるビューからあるビューへ、かつ／または、同種のビューからビューへ容易かつ迅速に切り替え可能に知覚したいと望み得る。例えば、ある位置に存在するユーザは、ユーザを取り囲む物体を知覚し、ある位置からのある方向に沿ったあるビューに関連付けられた視覚情報を知覚し、ある位置からの異なる方向に沿った異なるビューに関連付けられた視覚情報を知覚しかつ／または同種のことを行いたいと望み得る。このような例において、ユーザは、潜在的に煩雑な触覚相互作用を回避し、ヘッドマウントディスプレイを不器用に扱うことを回避しかつ／または同種のことを行うような方法で、ヘッドマウントディスプレイと相互作用したいと望み得る。
【００８３】
少なくとも１つの例示的な実施形態において、装置は、あるビューがある焦点深度でユーザにより視認可能であるようにあるビューの視覚表現をディスプレイにディスプレイさせ、かつ、異なるビューが異なる焦点深度でユーザにより視認可能であるように異なるビューの視覚表現をディスプレイに表示させる。このような例示的な実施形態において、ある焦点深度は、ユーザがある焦点深度であるビューの視覚表現に合焦させる場合、ユーザが異なる焦点深度で異なるビューの視覚表現に合焦させることを回避するように構成される。例えば、ある焦点深度は、ある焦点深度でのあるビューの視覚表現への合焦が、異なる焦点深度での異なるビューの視覚表現への合焦を妨げるように構成されてもよい。同様に、異なる焦点深度は、ユーザが異なる焦点深度で異なるビューの視覚表現に合焦させる場合、ユーザがある焦点深度であるビューの視覚表現に合焦させることを回避するように構成されてもよい。例えば、異なる焦点深度は、異なる焦点深度での異なるビューの視覚表現への合焦が、ある焦点深度でのあるビューの視覚表現への合焦を妨げるように構成されてもよい。そのようなものとして、仮にユーザがある焦点深度のある視覚表現に合焦させる場合、ユーザは、ある視覚表現に合焦させることが可能であり、かつ、ある焦点深度よりも著しく大きい焦点深度、著しく小さい焦点深度および／または同種のもので表示される他の視覚表現に合焦させることが不可能である。例えば、あるビューの視覚表現を見たいと望むユーザは、あるビューの視覚表現のある焦点深度に一致する深度で合焦させてもよい。同様に、例えば、異なるビューの視覚表現を見たいと望むユーザは、異なるビューの視覚表現の異なる焦点深度に一致する深度で合焦させてもよい。
【００８４】
場合によっては、ユーザは、１つ以上の位置からビューを知覚したいと望み得る。例えば、ユーザは、ある位置からのあるビュー、ある位置からの異なるビュー、異なる位置からの第３のビューおよび／または同種のものを知覚したいと望み得る。少なくとも１つの例示的な実施形態において、装置は、あるビューがある焦点深度でユーザにより視認可能であるようにあるビューの視覚表現をディスプレイにディスプレイさせ、異なるビューが異なる焦点深度でユーザにより視認可能であるように異なるビューの視覚表現をディスプレイにディスプレイさせ、かつ、第３のビューが第３の焦点深度でユーザにより視認可能であるように第３のビューの視覚表現をディスプレイに表示させる。
【００８５】
少なくとも１つの例示的な実施形態において、ディスプレイは多深度ディスプレイである。このような例示的な一実施形態において、装置は、ある焦点深度があるディスプレイ深度に一致するようにあるビューの視覚表現をディスプレイにディスプレイさせ、異なる焦点深度が他のディスプレイ深度に一致するように異なるビューの視覚表現をディスプレイにディスプレイさせ、第３の焦点深度が第３のディスプレイ深度に一致するように第３のビューの視覚表現をディスプレイにディスプレイさせかつ／または同種のことを行ってもよい。例えば、ディスプレイは、両眼視用の立体視を介して特定の焦点深度における情報を伝達できる立体ディスプレイであってもよい。このような例において、立体ディスプレイに表示される視覚表現が正常な両眼視を有するユーザにより観測される場合、立体視は深度の知覚を可能にする。
【００８６】
場合によっては、少なくとも部分的にユーザの注視深度に基づいてユーザからの意図を判断することが望ましいこともある。例えば、ユーザがあるビューの視覚表現を知覚したいと望む場合、このような視覚表現を表示させることが望ましいこともある。このような例において、ユーザの注視深度は、あるビューの視覚表現の焦点深度に一致し得る。ユーザの注視深度とあるビューの視覚表現の焦点深度との対応は、ユーザがあるビューの視覚表現を知覚したいと望むことを示してもよい。少なくとも１つの例示的な実施形態において、装置はユーザの注視深度を決定する。少なくとも１つの例示的な実施形態において、装置は、ユーザの注視深度があるビュー、あるビューの視覚表現および／または同種のものに関連付けられたある焦点深度に一致すると決定する。このような例示的な一実施形態において、装置は、少なくとも部分的に、ユーザの注視深度がある焦点深度に一致するという決定に基づいて、ある焦点深度のあるビューの視覚表現をディスプレイさせてもよい。少なくとも１つの例示的な実施形態において、装置は、ユーザの注視深度が異なるビュー、異なるビューの視覚表現および／または同種のものに関連付けられた異なる焦点深度に一致すると決定する。このような例示的な一実施形態において、装置は、少なくとも部分的に、ユーザの注視深度が異なる焦点深度に一致するという決定に基づいて、異なる焦点深度の異なるビューの視覚表現をディスプレイさせてもよい。
【００８７】
図４Ａは、少なくとも１つの例示的な実施形態に係る視覚表現のディスプレイを例示する図である。図４Ａの例において、視覚表現４０２は、図３Ａのビュー３１４Ａの視覚表現である。図４Ａの例において、視覚表現４０３は、ユーザ４００の後方のある方向におけるあるビューに関連付けられた視覚情報を含む。例えば、樹木４０３は、図３Ａの樹木３１８に対応する。このように、視覚表現４０３は、図３Ａの位置３０２から延びるビュー境界３０８とビュー境界３１０との間の角度と交差するある方向に沿って知覚可能な視覚情報を含む。図４Ａの例において、視覚表現４０３は焦点深度４０６に関連付けられる。焦点深度４０６は、ユーザ４００から距離４０７の位置にある点に合焦させたユーザに関連付けられたある焦点深度である。視覚表現４０２は、少なくとも部分的に、視覚表現４０２に描写された環境の一部に関連付けられた方向に向けられたカメラモジュールから受け取ったカメラ視覚情報に基づいてもよい。或いは、視覚表現４０２は、少なくとも部分的に、図３Ａの位置３０２に関連付けられた地理的位置を取り巻く環境を描くパノラマ画像の一部に基づいてもよい。例えば、視覚表現４０２は、図３Ａのビュー３１４Ａの方向に一致するパノラマ画像の一部に基づいてもよい。
【００８８】
図４Ａの例において、視覚表現４０４は、図３Ａのビュー３１２の視覚表現である。図４Ａの例において、視覚表現４０５は、ユーザ４００の前方のある方向におけるあるビューに関連付けられた視覚情報を含む。例えば、車両４０５は、図３Ａの車両３１６に対応する。このように、視覚表現４０５は、図３Ａの位置３０２から延びるビュー境界３０４とビュー境界３０６との間の角度と交差するある方向に沿って知覚可能な視覚情報を含む。図４Ａの例において、視覚表現４０５は焦点深度４０８に関連付けられる。焦点深度４０８は、ユーザ４００から距離４０９の位置にある点に合焦させたユーザに関連付けられたある焦点深度である。視覚表現４０４は、少なくとも部分的に、視覚表現４０４に描写された環境の一部に関連付けられた方向に向けられたカメラモジュールから受け取ったカメラ視覚情報に基づいてもよい。或いは、視覚表現４０４は、少なくとも部分的に、図３Ａの位置３０２に関連付けられた地理的位置を取り巻く環境を描くパノラマ画像の一部に基づいてもよい。例えば、視覚表現４０４は、図３Ａのビュー３１２の方向に一致するパノラマ画像の一部に基づいてもよい。
【００８９】
図４Ａの例において、装置は、少なくとも部分的に、焦点深度４０６において合焦しているユーザ４００に基づいて視覚表現４０２をディスプレイさせてもよい。同様に、装置は、少なくとも部分的に、焦点深度４０８において合焦しているユーザ４００に基づいて視覚表現４０４をディスプレイさせてもよい。図４Ａの例は、視覚表現４０４に関連付けられた焦点深度よりも小さい焦点深度でディスプレイされている視覚表現４０２を表しているが、視覚表現４０２は、視覚表現４０４に関連付けられた焦点深度よりも大きい焦点深度でディスプレイされてもよい。
【００９０】
場合によっては、ユーザは、少なくとも部分的に、あるビューの視覚表現に一致するディスプレイ上の特定の点での固視に基づいてあるビューの視覚表現を知覚したいと望み得る。例えば、ユーザがあるビューの視覚表現を知覚するために適切な注視深度で合焦され得る場合であっても、ユーザは、あるビューの視覚表現に一致することができない位置に合焦され得る。このような状況では、ユーザの注視深度とあるビューの視覚表現の焦点深度とが対応しているにもかかわらず、ユーザがあるビューの視覚表現を見ないようにすることを好む場合があり得る。少なくとも１つの例示的な実施形態において、装置は、あるビューの視覚表現がディスプレイ上のあるディスプレイ領域に表示されるように、あるビューの視覚表現を表示させる。このような例示的な一実施形態において、装置は、ユーザのある注視深度を決定し、かつ、ある注視位置がディスプレイ上のあるビューの視覚表現のあるディスプレイ領域に一致すると決定してもよい。装置は、少なくとも部分的に、ある注視位置があるディスプレイ領域に一致するという決定に基づいて、あるビューの視覚表現をディスプレイさせてもよい。同様に、少なくとも１つの例示的な実施形態において、装置は、異なるビューの視覚表現がディスプレイ上の他のディスプレイ領域に表示されるように、異なるビューの視覚表現を表示させる。このような例示的な一実施形態において、装置は、ユーザの他の注視深度を決定し、かつ、他の注視位置がディスプレイ上の異なるビューの視覚表現の他のディスプレイ領域に一致すると決定してもよい。装置は、少なくとも部分的に、他の注視位置が他のディスプレイ領域に一致するという決定に基づいて、異なるビューの視覚表現をディスプレイさせてもよい。例えば、あるビューの視覚表現のディスプレイ領域は、あるビューの視覚表現をディスプレイしているディスプレイの少なくとも一部であってもよく、かつ、異なるビューの視覚表現のディスプレイ領域は、異なるビューの視覚表現をディスプレイしているディスプレイの少なくとも一部であってもよい。
【００９１】
場合によっては、ビューの視覚表現のディスプレイは、ディスプレイサイズ、ディスプレイ解像度および／または同種のものによって制約され得る。このような状況では、存在し得るいかなるディスプレイ制約の効果も低減し、有効ディスプレイ空間を充分に活用しかつ／または同種のことを行うような方法で、ビューの視覚表現を表示することが望ましいこともある。少なくとも１つの例示的な実施形態において、あるビューの視覚表現のディスプレイは、あるビューの視覚表現のディスプレイ領域が異なるビューの視覚表現のディスプレイ領域と重複するように実行されてもよい。このような例示的な一実施形態において、重複は、少なくとも部分的に異なるビューの視覚表現のディスプレイ領域と一致するあるビューの視覚表現のディスプレイ領域を特徴とし得る。例えば、あるビューの視覚表現は、異なるビューの視覚表現のディスプレイ領域に部分的に一致し、異なるビューの視覚表現のディスプレイ領域に全体として一致しかつ／または同種の一致が生じるように、ディスプレイ領域にディスプレイされてもよい。例えば、あるビューの視覚表現は、あるディスプレイ領域にある焦点深度でディスプレイされてもよい。このような例において、異なるビューの視覚表現は、同一のディスプレイ領域に異なる焦点深度でディスプレイされてもよい。このように、あるビューの視覚表現および異なるビューの視覚表現は、ディスプレイの同一のディスプレイ領域を使用し、かつ、ユーザは、少なくとも部分的に、ある焦点深度、異なる焦点深度および／または同種のものに一致するユーザの注視深度に基づいていずれかの視覚表現を選択的に知覚してもよい。
【００９２】
少なくとも１つの例示的な実施形態において、ディスプレイにおけるあるビューの視覚表現のディスプレイに関連付けられたディスプレイ深度は、あるビューの視覚表現がディスプレイに表示されるディスプレイ領域からは独立している。例えば、仮にあるビューの視覚表現および異なるビューの視覚表現が異なるディスプレイ深度でディスプレイに表示される場合であっても、あるビューの視覚表現に関連付けられたディスプレイ領域は、少なくとも部分的に異なるビューの視覚表現に関連付けられたディスプレイ領域に一致してもよい。少なくとも１つの例示的な実施形態において、ディスプレイ領域は、二以上のディスプレイ深度、あるビューの二以上の視覚表現および／または同種のものに関連付けられてもよい。
【００９３】
少なくとも１つの例示的な実施形態において、装置は、あるビューの視覚表現がディスプレイ上の異なるビューの視覚表現を少なくとも部分的にぼやけさせるように、あるビューの視覚表現をディスプレイに表示させる。同様に、装置は、異なるビューの視覚表現がディスプレイ上のあるビューの視覚表現を少なくとも部分的にぼやけさせるように、異なるビューの視覚表現をディスプレイにディスプレイさせてもよい。例えば、ユーザがあるビューの視覚表現に関連付けられたある焦点深度に一致する注視深度で合焦し得る場合であっても、異なるビューの焦点が合っていない視覚表現は、あるビューの視覚表現を少なくとも部分的にぼやけさせ得る。このような例において、ぼやけさせることは、異なるビューの視覚表現の不鮮明な知覚、異なるビューの半透明な視覚表現のディスプレイ、少なくとも部分的にあるビューの視覚表現のディスプレイ領域に一致するディスプレイ領域における異なるビューの視覚表現のディスプレイおよび／または同種のことを特徴とし得る。
【００９４】
多くの場合、ユーザは、あるビューの視覚表現のディスプレイを中断すること、あるビューの視覚表現の知覚を停止すること、ヘッドマウントディスプレイのシースルー・ディスプレイのディスプレイ範囲を超えて配置された視覚情報を知覚することおよび／または同種のことを望み得る。このような状況では、ユーザは、例えば、あるビューの視覚表現に一致することができないある焦点深度での合焦の際、ヘッドマウントディスプレイのシースルー・ディスプレイのディスプレイ範囲を超えて配置された物体への合焦の際および／または同種のことの際、装置があるビューの視覚表現のディスプレイを終了することを望み得る。少なくとも１つの例示的な実施形態において、装置は、ディスプレイでのあるビューの視覚表現のディスプレイを終了させ、ディスプレイでの異なるビューの視覚表現のディスプレイを終了させかつ／または同種のことを行う。
【００９５】
図４Ｂは、少なくとも１つの例示的な実施形態に係る視覚表現のディスプレイを例示する図である。図４Ｂの例において、視覚表現４１０は、図４Ａの視覚表現４０４に対応し、かつ、視覚表現４１２は、図４Ａの視覚表現４０２に対応する。図４Ｂの例において、視覚表現４１０は、図３Ａのビュー３１２の方向に沿って知覚可能な視覚情報を含み、かつ、視覚表現４１２は、図３Ａのビュー３１４Ａの方向に沿って知覚可能な視覚情報を含む。そのようなものとして、車両４１６は、図３Ａの車両３１６に対応し、かつ、樹木４１４は、図３Ａの樹木３１８に対応する。図３Ａおよび図４Ｂに示されるように、視覚表現４１０は、図３Ａのビュー３１２の方向を中心とする約６０度の水平視界に沿って知覚可能な視覚情報を含み、かつ、視覚表現４１２は、図３Ａのビュー３１４Ａの方向を中心とする約６０度の水平視界に沿って知覚可能な視覚情報を含む。そのようなものとして、図４Ｄの画像を見ているユーザは、ユーザの前方および後方、ユーザの左方および右方および／または同種のものにおけるビューを描く視覚表現を提示されてもよい。
【００９６】
図４Ｂの例において、ディスプレイは、ある焦点深度での視覚表現４１０および異なる焦点深度での視覚表現４１２をディスプレイしている。図４Ｂの例は、注視深度が視覚表現４１０に関連付けられた焦点深度に一致するユーザがディスプレイを見る際に知覚し得るものを表している。視覚表現４１０に関連付けられた焦点深度に一致するユーザの注視深度は、ユーザが視覚表現４１０をユーザの装置にディスプレイさせたいと望むこと、ユーザが視覚表現４１０に関連付けられた視覚情報を知覚したいと望むこと、ユーザが視覚表現４１０に合焦させたいと望んだこと、ユーザがユーザの前方の方向に一致する視覚情報を知覚したいと望むことおよび／または同種のことを示してもよい。
【００９７】
図４Ｂに例示するように、視覚表現４１２のディスプレイ領域は、視覚表現４１０に重複しかつ部分的に視覚表現４１０をぼやけさせる。図４Ｂに例示するように、視覚表現４１０に合焦させることは視覚表現４１２に合焦させることを妨げ得るので、視覚表現４１０は、視覚表現４１２と比較すると、より鮮明でかつよりぼやけの少ないように見える。このように、ユーザが視覚表現４１２に描写された柔らかな細部を引き続き知覚できるようにすることでユーザがユーザを取り巻く環境を意識し続けることができ、視覚表現４１２に関連付けられた移動を検出できかつ／または同種のことができるようにしつつ、視覚表現４１０はより目立つように表示される。このように、仮にユーザが視覚表現４１２を知覚したいと望む場合、例えば、仮にユーザが視覚表現４１２を基準にした移動を知覚する場合、或いは、ユーザが環境への意識に関する目的で視覚表現４１２を参照したいと望む場合、視覚表現４１２がより目立って表示されることでユーザが更に視覚表現４１２を分析でき、移動の原因を決定できかつ／または同種のことができるように、ユーザは、迅速にユーザの注視深度を視覚表現４１２の焦点深度に一致させるように調整できる。
【００９８】
図４Ｃは、少なくとも１つの例示的な実施形態に係る視覚表現のディスプレイを例示する図である。図４Ｃは、ユーザがユーザの注視深度を、視覚表現４１０の焦点深度に一致する注視深度から視覚表現４１２の異なる焦点深度に一致する注視深度へ移した後の図４Ｂに対応する。図４Ｃの例は、注視深度が視覚表現４１２に関連付けられた焦点深度に一致するユーザがディスプレイを見る際に知覚し得るものを表している。視覚表現４１２に関連付けられた焦点深度に一致するユーザの注視深度は、ユーザが視覚表現４１２をユーザの装置にディスプレイさせたいと望むこと、ユーザが視覚表現４１２に関連付けられた視覚情報を知覚したいと望むこと、ユーザが視覚表現４１２に合焦させたいと望んだこと、ユーザがユーザの後方の方向に一致する視覚情報を知覚したいと望むことおよび／または同種のことを示してもよい。
【００９９】
図４Ｃに例示するように、あるビューの視覚表現４１０のディスプレイ領域は、視覚表現４１２に重複しかつ部分的に視覚表現４１２をぼやけさせる。図４Ｃの例において、視覚表現４１２に合焦させることは視覚表現４１０に合焦させることを妨げ得るので、視覚表現４１２は、視覚表現４１０と比較すると、より鮮明でかつよりぼやけの少ないように見える。このように、ユーザが視覚表現４１０に描写された柔らかな細部を引き続き知覚できるようにすることでユーザがユーザを取り巻く環境を意識し続けることができ、視覚表現４１０に関連付けられた移動を検出できかつ／または同種のことができるようにしつつ、視覚表現４１２はより目立つように表示される。このように、仮にユーザが視覚表現４１０を知覚したいと望む場合、例えば、仮にユーザが視覚表現４１０を基準にした移動を知覚する場合、或いは、ユーザが環境への意識に関する目的で視覚表現４１０を参照したいと望む場合、視覚表現４１０がより目立って表示されることでユーザが更に視覚表現４１０を分析でき、移動の原因を決定できかつ／または同種のことができるように、ユーザは、迅速にユーザの注視深度を視覚表現４１０の焦点深度に一致させるように調整できる。
【０１００】
先に述べたように、場合によっては、ある位置からの多数の異なる方向に沿って知覚可能であり得る視覚情報をユーザが知覚できるようにすることが望ましいこともある。例えば、ある位置からのある方向に沿った、異なる方向に沿った、ある方向および異なる方向と交差する別の方向に沿ったかつ／または同種のものに沿った視覚情報をユーザが知覚できるようにすることが望ましいこともある。例えば、環境への意識を容易にするために、ある方向を向いておりかつヘッドマウントディスプレイを装着しているユーザは、ユーザが向いている方向とは反対の異なる方向に沿って、ある方向および異なる方向と交差する方向に沿ってかつ／または同種のものに沿って知覚可能な視覚情報を含むパノラマ視覚表現のディスプレイを知覚したいと望み得る。
【０１０１】
少なくとも１つの例示的な実施形態において、あるビューは、ある位置からのある方向に沿って、ある位置からの異なる方向に沿って、ある方向からのある方向および異なる方向と交差する別の方向に沿ってかつ／または同種のものに沿って知覚可能な視覚情報を含むパノラマ視覚表現である。例えば、あるビューの視覚表現は、ある位置から延びるある方向に沿って知覚可能な視覚情報、ある位置から延びる異なる方向に沿って知覚可能な視覚情報、ある方向および異なる方向と交差する別の方向に沿って知覚可能な視覚情報および／または同種のものの少なくとも一部の、パノラマ視覚表現を含んでもよい。別の例では、異なるビューの視覚表現は、ある位置から延びる異なる方向に沿って知覚可能な視覚情報、ある位置から延びるある方向に沿って知覚可能な視覚情報、ある方向および異なる方向と交差する別の方向に沿って知覚可能な視覚情報および／または同種のものの少なくとも一部の、パノラマ視覚表現を含んでもよい。実際には、複数のビューの視覚表現は、ユーザが、別の状況ではユーザの視界が遮られ得る方向、ユーザの後方の方向、ユーザの周辺ビューの範囲外の方向および／または同種のものにおいて知覚可能な視覚情報を知覚できるようにしてもよい。
【０１０２】
図４Ｄは、少なくとも１つの例示的な実施形態に係る視覚表現のディスプレイを例示する図である。図４Ｄの例において、視覚表現４２０は、図４Ａの視覚表現４０４に対応し、かつ、視覚表現４２２は、少なくとも部分的に、図４Ａの視覚表現４０２に対応する。図４Ｄの例において、視覚表現４２０は、図３Ｂのビュー３１２の方向に沿って知覚可能な視覚情報を含み、かつ、視覚表現４２２は、図３Ｂのビュー３１４Ｂの方向に沿って知覚可能な視覚情報を含む。そのようなものとして、視覚表現４２０に描写された車両４２４は、図３Ｂの車両３１６に対応する。図４Ｄの例において、視覚表現４２２に描写された樹木４２６は、図３Ｂの樹木３１８に対応する。また、図４Ｄの例において、樹木４２７、樹木４２８、ベンチ４２９および樹木４３０は、それぞれ、図３Ｂの樹木３２２、樹木３２０、ベンチ３２４および樹木３２６に対応する。このように、視覚表現４２２は、図３Ｂのビュー３１４Ｂの方向において、図３Ｂのビュー３１４Ｂの方向およびビュー３１２と交差する別の方向においてかつ／または同種のものにおいて知覚可能な視覚情報を含むパノラマ視覚表現である。図３Ｂおよび図４Ｄに示されるように、視覚表現４２０は、図３Ｂのビュー３１２の方向を中心とする約６０度の水平視界に沿って知覚可能な視覚情報を含み、かつ、視覚表現４２２は、図３Ｂのビュー３１４Ｂの方向を中心とする約３００度の水平視界に沿って知覚可能な視覚情報を含む。そのようなものとして、図４Ｄの画像を見ているユーザは、ユーザを取り巻く環境の全３６０度の視覚表現を提示されてもよい。
【０１０３】
図４Ｄの例において、ディスプレイは、ある焦点深度での視覚表現４２０および異なる焦点深度での視覚表現４２２をディスプレイしている。図４Ｄの例は、注視深度が視覚表現４２０に関連付けられた焦点深度に一致するユーザがディスプレイを見る際に知覚し得るものを表している。視覚表現４２０に関連付けられた焦点深度に一致するユーザの注視深度は、ユーザが視覚表現４２０をユーザの装置にディスプレイさせたいと望むこと、ユーザが視覚表現４２０に関連付けられた視覚情報を知覚したいと望むこと、ユーザが視覚表現４２０に合焦させたいと望んだこと、ユーザがユーザの前方の方向に一致する視覚情報を知覚したいと望むことおよび／または同種のことを示してもよい。図４Ｄの例において、視覚表現４２０はシースルー・ディスプレイのディスプレイ領域に表示される。ユーザの注視深度は、例えば、ユーザの、視覚表現４４４を表示させるという意図、視覚表現４２０に合焦させるという意図および／または同種のものが推論され得るように、視覚表現４２０のディスプレイ領域内の位置に一致してもよい。
【０１０４】
図４Ｄに例示するように、視覚表現４２２のディスプレイ領域は、視覚表現４２０に重複しかつ部分的に視覚表現４２０をぼやけさせる。図４Ｄの例において、視覚表現４２０に合焦させることは視覚表現４２２に合焦させることを妨げ得るので、視覚表現４２０は、視覚表現４２２と比較すると、より鮮明でかつよりぼやけの少ないように見える。このように、ユーザが視覚表現４２２に描写された柔らかな細部を引き続き知覚できるようにすることでユーザがユーザを取り巻く環境を意識し続けることができ、視覚表現４２２に関連付けられた移動を検出できかつ／または同種のことができるようにしつつ、視覚表現４２０はより目立つように表示される。このように、仮にユーザが視覚表現４２２を知覚したいと望む場合、例えば、仮にユーザが視覚表現４２２を基準にした移動を知覚する場合、或いは、ユーザが環境への意識に関する目的で視覚表現４２２を参照したいと望む場合、視覚表現４２２がより目立って表示されることでユーザが更に視覚表現４２２を分析でき、移動の原因を決定できかつ／または同種のことができるように、ユーザは、迅速にユーザの注視深度を視覚表現４２２の焦点深度に一致させるように調整できる。
【０１０５】
図４Ｅは、少なくとも１つの例示的な実施形態に係る視覚表現のディスプレイを例示する図である。図４Ｅは、ユーザがユーザの注視深度を、視覚表現４２０の焦点深度に一致する注視深度から視覚表現４２２の異なる焦点深度に一致する注視深度へ移した後の図４Ｄに対応する。図４Ｅの例は、注視深度が視覚表現４２２に関連付けられた焦点深度に一致するユーザがディスプレイを見る際に知覚し得るものを表している。視覚表現４２２に関連付けられた焦点深度に一致するユーザの注視深度は、ユーザが視覚表現４２２をユーザの装置にディスプレイさせたいと望むこと、ユーザが視覚表現４２２に関連付けられた視覚情報を知覚したいと望むこと、ユーザが視覚表現４２２に合焦させたいと望んだこと、ユーザがユーザの後方の方向に一致する視覚情報を知覚したいと望むことおよび／または同種のことを示してもよい。図４Ｅの例において、視覚表現４２２はシースルー・ディスプレイのディスプレイ領域に表示される。ユーザの注視深度は、例えば、ユーザの、視覚表現４２２を表示させるという意図、視覚表現４２２に合焦させるという意図および／または同種のものが推論され得るように、視覚表現４２２のディスプレイ領域内の位置に一致してもよい。
【０１０６】
図４Ｅに例示するように、視覚表現４２０のディスプレイ領域は、視覚表現４２２に重複しかつ部分的に視覚表現４２２をぼやけさせる。図４Ｅの例において、視覚表現４２２に合焦させることは視覚表現４２０に合焦させることを妨げ得るので、視覚表現４２２は、視覚表現４２０と比較すると、より鮮明でかつよりぼやけの少ないように見える。このように、ユーザが視覚表現４２０に描写された柔らかな細部を引き続き知覚できるようにすることでユーザがユーザを取り巻く環境を意識し続けることができ、視覚表現４２０に関連付けられた移動を検出できかつ／または同種のことができるようにしつつ、視覚表現４２２はより目立つように表示される。このように、仮にユーザが視覚表現４２０を知覚したいと望む場合、例えば、仮にユーザが視覚表現４２０を基準にした移動を知覚する場合、或いは、ユーザが環境への意識に関する目的で視覚表現４２０を参照したいと望む場合、視覚表現４２０がより目立って表示されることでユーザが更に視覚表現４２０を分析でき、移動の原因を決定できかつ／または同種のことができるように、ユーザは、迅速にユーザの注視深度を視覚表現４２０の焦点深度に一致させるように調整できる。
【０１０７】
場合によっては、図２Ａおよび図２Ｂに関連して述べたように、ユーザは、シースルー・ディスプレイ上の情報を見たいと望み得る。例えば、ユーザは、ユーザを取り巻く環境のぼやけを低減しつつヘッドマウントディスプレイに表示される情報を見たいと望み得る。このような状況では、ユーザからのある方向に沿って知覚可能な視覚情報は、シースルー・ディスプレイを介してユーザにより直接知覚可能であってもよい。例えば、ユーザは、ヘッドマウントディスプレイの少なくとも一部を介してユーザの前方の視覚情報を知覚してもよい。そのようなものとして、場合によっては、ユーザは、視覚情報を強調し、ヘッドマウントディスプレイを介してユーザにより知覚可能であり得る範囲を超えた追加の視覚情報を提供しかつ／または同種のことを行う方法で、ユーザの前方において知覚可能な視覚情報の少なくとも一部を知覚したいと望み得る。少なくとも１つの例示的な実施形態において、ディスプレイはシースルー・ディスプレイであり、かつ、あるビューは、ある位置からのある方向に沿って知覚可能な視覚情報の非単一倍率を示す視覚情報である。非単一倍率は、例えば、１以外の拡大率であってもよい。例えば、あるビューの視覚表現は、ある位置からのある方向に沿って知覚可能な視覚情報の少なくともある一部の１０×の拡大率を有してもよく、ある位置からのある方向に沿って知覚可能な視覚情報の少なくとも他の一部の２０×の拡大率を有してもよくかつ／または同種のものを有してもよい。
【０１０８】
図４Ｆは、少なくとも１つの例示的な実施形態に係る視覚表現のディスプレイを例示する図である。図４Ｆの例において、車両４４６は、視覚表現４４２および４４４をディスプレイしているシースルー・ディスプレイを介して知覚可能である。図４Ｆの例は、図３Ｂの例に対応する。そのようなものとして、シースルー・ディスプレイを介して知覚可能な車両４４６は、図３Ｂの車両３１６に対応する。図４Ｆの例において、視覚表現４４４は、ある位置からの図３Ｂのビュー３１２の方向に沿って知覚可能な視覚情報の非単一倍率を示す視覚情報を含む。例えば、図３Ｂに示されるように、ユーザは位置３０２に存在してもよく、かつ、車両３１６と向かい合っていてもよい。そのようなものとして、視覚表現４４４に描写された車両４４８は、図３Ｂの車両３１６に対応する。図４Ｆの例は、ユーザが図３Ｂの位置３０２に立っており、かつ、図３Ｂの車両３１６の方向を見ている状態で、ユーザが知覚し得るものを表している。図４Ｆの例において、視覚表現４４２は、少なくとも部分的に、図４Ａの視覚表現４０２に対応する。図４Ｆの例において、視覚表現４４２は、図３Ｂのビュー３１４Ｂの方向に沿って知覚可能な視覚情報を含む。そのようなものとして、視覚表現４４２に描写された樹木４５０は、図３Ｂの樹木３１８に対応する。また、図４Ｆの例において、樹木４５１、樹木４５２、ベンチ４５３および樹木４５４は、それぞれ、図３Ｂの樹木３２２、樹木３２０、ベンチ３２４および樹木３２６に対応する。このように、視覚表現４４２は、図３Ｂのビュー３１４Ｂの方向において、図３Ｂのビュー３１４Ｂの方向およびビュー３１２と交差する別の方向においてかつ／または同種のものにおいて知覚可能な視覚情報を含むパノラマ視覚表現である。図３Ｂおよび図４Ｆに示されるように、視覚表現４２２は、図３Ｂのビュー３１４Ｂの方向を中心とする約３００度の水平視界に沿って知覚可能な視覚情報を含む。そのようなものとして、図４Ｆの画像を見ているユーザは、ユーザを取り巻く環境の全３６０度の視覚表現を提示されてもよい。
【０１０９】
図４Ｆの例において、ディスプレイは、ある焦点深度での視覚表現４４４および異なる焦点深度での視覚表現４４２をディスプレイしている。図４Ｆの例は、注視深度が視覚表現４４４に関連付けられた焦点深度に一致するユーザがディスプレイを見る際に知覚し得るものを表している。視覚表現４４４に関連付けられた焦点深度に一致するユーザの注視深度は、ユーザが視覚表現４４４をユーザの装置にディスプレイさせたいと望むこと、ユーザが視覚表現４４４に関連付けられた視覚情報を知覚したいと望むこと、ユーザが視覚表現４４４に合焦させたいと望んだこと、ユーザがユーザの前方の方向に一致する視覚情報の非単一倍率を知覚したいと望むことおよび／または同種のことを示してもよい。図４Ｆの例において、視覚表現４４４はシースルー・ディスプレイのディスプレイ領域に表示される。ユーザの注視深度は、例えば、ユーザの、視覚表現４４４を表示させるという意図、視覚表現４４４に合焦させるという意図および／または同種のものが推論され得るように、視覚表現４４４のディスプレイ領域内の位置に一致してもよい。
【０１１０】
図４Ｆの例において、視覚表現４４４に合焦させることは視覚表現４４２に合焦させることを妨げ得るので、視覚表現４４４は、視覚表現４４２と比較すると、より鮮明でかつよりぼやけの少ないように見える。このように、ユーザが視覚表現４４２に描写された柔らかな細部を引き続き知覚できるようにすることでユーザがユーザを取り巻く環境を意識し続けることができ、視覚表現４４２に関連付けられた移動を検出できかつ／または同種のことができるようにしつつ、視覚表現４４４はより目立つように表示される。このように、仮にユーザが視覚表現４４２を知覚したいと望む場合、例えば、仮にユーザが視覚表現４４２を基準にした移動を知覚する場合、或いは、ユーザが環境への意識に関する目的で視覚表現４４２を参照したいと望む場合、視覚表現４４２がより目立って表示されることでユーザが更に視覚表現４４２を分析でき、移動の原因を決定できかつ／または同種のことができるように、ユーザは、迅速にユーザの注視深度を視覚表現４４２の焦点深度に一致させるように調整できる。
【０１１１】
図４Ｇは、少なくとも１つの例示的な実施形態に係る視覚表現のディスプレイを例示する図である。図４Ｇは、ユーザがユーザの注視深度を、視覚表現４４４の焦点深度に一致する注視深度から視覚表現４４２の異なる焦点深度に一致する注視深度へ移した後の図４Ｆに対応する。図４Ｇの例は、注視深度が視覚表現４４２に関連付けられた焦点深度に一致するユーザがディスプレイを見る際に知覚し得るものを表している。視覚表現４４２に関連付けられた焦点深度に一致するユーザの注視深度は、ユーザが視覚表現４４２をユーザの装置にディスプレイさせたいと望むこと、ユーザが視覚表現４４２に関連付けられた視覚情報を知覚したいと望むこと、ユーザが視覚表現４４２に合焦させたいと望んだこと、ユーザがユーザの後方の方向に一致する視覚情報を知覚したいと望むことおよび／または同種のことを示してもよい。図４Ｇの例において、視覚表現４４２はシースルー・ディスプレイのディスプレイ領域に表示される。ユーザの注視深度は、例えば、ユーザの、視覚表現４４２を表示させるという意図、視覚表現４４２に合焦させるという意図および／または同種のものが推論され得るように、視覚表現４４２のディスプレイ領域内の位置に一致してもよい。
【０１１２】
図４Ｇの例において、視覚表現４４２に合焦させることは視覚表現４４４に合焦させることを妨げ得るので、視覚表現４４２は、視覚表現４４４と比較すると、より鮮明でかつよりぼやけの少ないように見える。このように、ユーザが視覚表現４４４に描写された柔らかな細部を引き続き知覚できるようにすることでユーザがユーザを取り巻く環境を意識し続けることができ、視覚表現４４４に関連付けられた移動を検出できかつ／または同種のことができるようにしつつ、視覚表現４４２はより目立つように表示される。このように、仮にユーザが視覚表現４４４を知覚したいと望む場合、例えば、仮にユーザが視覚表現４４４を基準にした移動を知覚する場合、或いは、ユーザが環境への意識に関する目的で視覚表現４４４を参照したいと望む場合、視覚表現４４４がより目立って表示されることでユーザが更に視覚表現４４４を分析でき、移動の原因を決定できかつ／または同種のことができるように、ユーザは、迅速にユーザの注視深度を視覚表現４４４の焦点深度に一致させるように調整できる。
【０１１３】
図５は、少なくとも１つの例示的な実施形態に係るビューの視覚表現のディスプレイに関連付けられた活動を例示する流れ図である。少なくとも１つの例示的な実施形態において、図５の活動に対応する一連の操作がある。装置、例えば図１の電子装置１０またはその一部は、その一連の操作を利用してもよい。装置は、このような操作を行うため、例えば図１の処理装置１１を含む手段を備えてもよい。例示的な一実施形態において、装置、例えば図１の電子装置１０は、図５の一連の操作を処理装置、例えば図１の処理装置１１と協働して装置に実行させるように構成されたコンピュータコードを含む、図１のメモリ１２等のメモリを有することで変形される。
【０１１４】
ブロック５０２において、装置は、ある位置からのあるビューであって、ある位置から延びるある方向に沿って知覚可能な視覚情報を含むあるビューを決定する。該決定、該ある位置、該ある位置からのあるビュー、該視覚情報および該ある位置から延びるある方向は、図２Ａおよび図２Ｂ、図３Ａおよび図３Ｂ並びに図４Ａから図４Ｇに関して述べたものと同様であり得る。
【０１１５】
ブロック５０４において、装置は、あるビューがある焦点深度でユーザにより視認可能であるようにあるビューの視覚表現をディスプレイに表示させる。該表示させること、該あるビューの視覚表現、該ディスプレイ、該ユーザおよび該ある焦点深度は、図２Ａおよび図２Ｂ、図３Ａおよび図３Ｂ並びに図４Ａから図４Ｇに関して述べたものと同様であり得る。
【０１１６】
ブロック５０６において、装置は、ある位置からの異なるビューであって、ある位置から延びる異なる方向に沿って知覚可能な視覚情報を含む異なるビューを決定する。該決定、該ある位置からの異なるビュー、該視覚情報および該ある位置から延びる異なる方向は、図２Ａおよび図２Ｂ、図３Ａおよび図３Ｂ並びに図４Ａから図４Ｇに関して述べたものと同様であり得る。
【０１１７】
ブロック５０８において、装置は、異なるビューが異なる焦点深度でユーザにより視認可能であるように異なるビューの視覚表現をディスプレイに表示させる。該表示させること、該異なるビューの視覚表現および該異なる焦点深度は、図２Ａおよび図２Ｂ、図３Ａおよび図３Ｂ並びに図４Ａから図４Ｇに関して述べたものと同様であり得る。
【０１１８】
図６は、少なくとも１つの例示的な実施形態に係るビューの視覚表現のディスプレイに関連付けられた活動を例示する流れ図である。少なくとも１つの例示的な実施形態において、図６の活動に対応する一連の操作がある。装置、例えば図１の電子装置１０またはその一部は、その一連の操作を利用してもよい。装置は、このような操作を行うため、例えば図１の処理装置１１を含む手段を備えてもよい。例示的な一実施形態において、装置、例えば図１の電子装置１０は、図６の一連の操作を処理装置、例えば図１の処理装置１１と協働して装置に実行させるように構成されたコンピュータコードを含む、図１のメモリ１２等のメモリを有することで変形される。
【０１１９】
先に述べたように、場合によっては、ある位置からの１つ以上のビューを描くカメラ視覚情報の１つ以上の視覚表現を表示させることが望ましいこともある。このような状況では、あるビューの視覚表現がある焦点深度で視認可能であるようにあるカメラ視覚情報に基づいたあるビューの視覚表現をディスプレイさせ、かつ、異なるビューの視覚表現が異なる焦点深度で視認可能であるように他のカメラ視覚情報に基づいた異なるビューの視覚表現を表示させることが望ましいこともある。
【０１２０】
ブロック６０２において、装置は、あるカメラモジュールからのある方向に沿って知覚可能なカメラ視覚情報を受け取る。該受け取り、該カメラ視覚情報、該ある方向および該カメラモジュールは、図２Ａおよび図２Ｂ、図３Ａおよび図３Ｂ並びに図４Ａから図４Ｇに関して述べたものと同様であり得る。
【０１２１】
ブロック６０４において、装置は、少なくとも部分的に、あるカメラモジュールからのある方向に沿って知覚可能なあるカメラ視覚情報に基づいて、ある位置からのあるビューを決定する。該決定、該あるビュー、該ある位置および該あるカメラモジュールからのある方向に沿って知覚可能なあるカメラ視覚情報は、図２Ａおよび図２Ｂ、図３Ａおよび図３Ｂ並びに図４Ａから図４Ｇに関して述べたものと同様であり得る。
【０１２２】
ブロック６０６において、装置は、あるビューがある焦点深度でユーザにより視認可能であるようにあるビューの視覚表現をディスプレイに表示させる。該表示させること、該あるビューの視覚表現、該ディスプレイ、該ユーザおよび該ある焦点深度は、図２Ａおよび図２Ｂ、図３Ａおよび図３Ｂ並びに図４Ａから図４Ｇに関して述べたものと同様であり得る。
【０１２３】
ブロック６０８において、装置は、他のカメラモジュールからの異なる方向に沿って知覚可能な他のカメラ視覚情報を受け取る。該受け取り、該他のカメラ視覚情報、該異なる方向および該他のカメラモジュールは、図２Ａおよび図２Ｂ、図３Ａおよび図３Ｂ並びに図４Ａから図４Ｇに関して述べたものと同様であり得る。
【０１２４】
ブロック６１０において、装置は、少なくとも部分的に、他のカメラモジュールからの異なる方向に沿って知覚可能な他のカメラ視覚情報に基づいて、ある位置からの異なるビューを決定する。該決定、該異なるビューおよび該カメラモジュールからの異なる方向に沿って知覚可能な他のカメラ視覚情報は、図２Ａおよび図２Ｂ、図３Ａおよび図３Ｂ並びに図４Ａから図４Ｇに関して述べたものと同様であり得る。
【０１２５】
ブロック６１２において、装置は、異なるビューが異なる焦点深度でユーザにより視認可能であるように異なるビューの視覚表現をディスプレイに表示させる。該表示させること、該異なるビューの視覚表現および該異なる焦点深度は、図２Ａおよび図２Ｂ、図３Ａおよび図３Ｂ並びに図４Ａから図４Ｇに関して述べたものと同様であり得る。
【０１２６】
図７は、少なくとも１つの例示的な実施形態に係るビューの視覚表現のディスプレイに関連付けられた活動を例示する流れ図である。少なくとも１つの例示的な実施形態において、図７の活動に対応する一連の操作がある。装置、例えば図１の電子装置１０またはその一部は、その一連の操作を利用してもよい。装置は、このような操作を行うため、例えば図１の処理装置１１を含む手段を備えてもよい。例示的な一実施形態において、装置、例えば図１の電子装置１０は、図７の一連の操作を処理装置、例えば図１の処理装置１１と協働して装置に実行させるように構成されたコンピュータコードを含む、図１のメモリ１２等のメモリを有することで変形される。
【０１２７】
先に述べたように、場合によっては、あるビューの視覚表現をある焦点深度に一致するユーザの注視深度に基づいてディスプレイさせ、かつ、異なるビューの視覚表現を異なる焦点深度に一致するユーザの注視深度に基づいて表示させることが望ましいこともある。例えば、ユーザは、あるビューの視覚表現、異なるビューの視覚表現および／または同種のものを見るために、ユーザの注視深度を調整してもよい。
【０１２８】
ブロック７０２において、装置は、ある位置からのあるビューであって、ある位置から延びるある方向に沿って知覚可能な視覚情報を含むあるビューを決定する。該決定、該ある位置、該ある位置からのあるビュー、該視覚情報および該ある位置から延びるある方向は、図２Ａおよび図２Ｂ、図３Ａおよび図３Ｂ並びに図４Ａから図４Ｇに関して述べたものと同様であり得る。
【０１２９】
ブロック７０４において、装置はユーザのある注視深度を決定する。該決定、該ある注視深度および該ユーザは、図２Ａおよび図２Ｂ、図３Ａおよび図３Ｂ並びに図４Ａから図４Ｇに関して述べたものと同様であり得る。
【０１３０】
ブロック７０６において、装置は、ある注視深度がある焦点深度に一致すると決定する。該決定および該ある焦点深度は、図２Ａおよび図２Ｂ、図３Ａおよび図３Ｂ並びに図４Ａから図４Ｇに関して述べたものと同様であり得る。
【０１３１】
ブロック７０８において、装置は、少なくとも部分的に、ある注視深度がある焦点深度に一致するという決定に基づいて、あるビューがある焦点深度でユーザにより視認可能であるようにあるビューの視覚表現をディスプレイに表示させる。該表示させること、該あるビューの視覚表現、該ディスプレイ、該ユーザおよび該ある焦点深度は、図２Ａおよび図２Ｂ、図３Ａおよび図３Ｂ並びに図４Ａから図４Ｇに関して述べたものと同様であり得る。
【０１３２】
ブロック７１０において、装置は、ある位置からの異なるビューであって、ある位置から延びる異なる方向に沿って知覚可能な視覚情報を含む異なるビューを決定する。該決定、該ある位置からの異なるビュー、該視覚情報および該ある位置から延びる異なる方向は、図２Ａおよび図２Ｂ、図３Ａおよび図３Ｂ並びに図４Ａから図４Ｇに関して述べたものと同様であり得る。
【０１３３】
ブロック７１２において、装置はユーザの他の注視深度を決定する。該決定および該他の注視深度は、図２Ａおよび図２Ｂ、図３Ａおよび図３Ｂ並びに図４Ａから図４Ｇに関して述べたものと同様であり得る。
【０１３４】
ブロック７１４において、装置は、他の注視深度が異なる焦点深度に一致すると決定する。該決定および該異なる焦点深度は、図２Ａおよび図２Ｂ、図３Ａおよび図３Ｂ並びに図４Ａから図４Ｇに関して述べたものと同様であり得る。
【０１３５】
ブロック７１６において、装置は、少なくとも部分的に、他の注視深度が異なる焦点深度に一致するという決定に基づいて、異なるビューが異なる焦点深度でユーザにより視認可能であるように異なるビューの視覚表現をディスプレイに表示させる。該表示させること、該ビューの視覚表現、該ディスプレイ、該ユーザおよび該焦点深度は、図２Ａおよび図２Ｂ、図３Ａおよび図３Ｂ並びに図４Ａから図４Ｇに関して述べたものと同様であり得る。
【０１３６】
図８は、少なくとも１つの例示的な実施形態に係るビューの視覚表現のディスプレイに関連付けられた活動を例示する流れ図である。少なくとも１つの例示的な実施形態において、図８の活動に対応する一連の操作がある。装置、例えば図１の電子装置１０またはその一部は、その一連の操作を利用してもよい。装置は、このような操作を行うため、例えば図１の処理装置１１を含む手段を備えてもよい。例示的な一実施形態において、装置、例えば図１の電子装置１０は、図８の一連の操作を処理装置、例えば図１の処理装置１１と協働して装置に実行させるように構成されたコンピュータコードを含む、図１のメモリ１２等のメモリを有することで変形される。
【０１３７】
ブロック８０２において、装置は、ある位置として地理的位置を特定する情報を受け取る。該受け取り、該地理的位置および該ある位置は、図２Ａおよび図２Ｂ、図３Ａおよび図３Ｂ並びに図４Ａから図４Ｇに関して述べたものと同様であり得る。
【０１３８】
ブロック８０４において、装置は、ある方向に一致する向きを有する地理的位置からのあるビューであって、ある位置から延びるある方向に沿って知覚可能な視覚情報を含むあるビューを表現するある画像を取得する。該取得、該ある画像、該あるビュー、該向き、該ある方向および該ある位置から延びるある方向に沿って知覚可能な視覚情報は、図２Ａおよび図２Ｂ、図３Ａおよび図３Ｂ並びに図４Ａから図４Ｇに関して述べたものと同様であり得る。
【０１３９】
ブロック８０６において、装置は、あるビューがある焦点深度でユーザにより視認可能であるようにあるビューの視覚表現をディスプレイに表示させる。該表示させること、該あるビューの視覚表現、該ディスプレイ、該ユーザおよび該ある焦点深度は、図２Ａおよび図２Ｂ、図３Ａおよび図３Ｂ並びに図４Ａから図４Ｇに関して述べたものと同様であり得る。
【０１４０】
ブロック８０８において、装置は、異なる方向に一致する向きを有する地理的位置からの異なるビューであって、ある位置から延びる異なる方向に沿って知覚可能な視覚情報を含むビューを表現する他の画像を取得する。該取得、該他の画像、該異なるビュー、該向き、該異なる方向および該ある位置から延びる異なる方向に沿って知覚可能な視覚情報は、図２Ａおよび図２Ｂ、図３Ａおよび図３Ｂ並びに図４Ａから図４Ｇに関して述べたものと同様であり得る。
【０１４１】
ブロック８１０において、装置は、異なるビューが異なる焦点深度でユーザにより視認可能であるように異なるビューの視覚表現をディスプレイに表示させる。該表示させること、該異なるビューの視覚表現および該異なる焦点深度は、図２Ａおよび図２Ｂ、図３Ａおよび図３Ｂ並びに図４Ａから図４Ｇに関して述べたものと同様であり得る。
【０１４２】
本発明の実施形態は、ソフトウェア、ハードウェア、アプリケーション論理、または、ソフトウェア、ハードウェアおよびアプリケーション論理の組み合わせの形態で実現されてもよい。ソフトウェア、アプリケーション論理および／またはハードウェアは上述の装置、別途装置または複数の別途装置に常駐していてもよい。必要に応じて、ソフトウェア、アプリケーション論理および／またはハードウェアの一部は上述の装置に常駐していてもよく、ソフトウェア、アプリケーション論理および／またはハードウェアの一部は別途装置に常駐していてもよく、かつ、ソフトウェア、アプリケーション論理および／またはハードウェアの一部は複数の別途装置に常駐していてもよい。例示的な一実施形態において、アプリケーション論理、ソフトウェアまたは命令セットは、様々な従来のコンピュータ可読媒体のうち、任意のコンピュータ可読媒体上に保持される。
【０１４３】
必要に応じて、本明細書において述べた異なる機能は、別の順序でかつ／または互いに並行して実行されてもよい。例えば、図５のブロック５０４は図５のブロック５０６の後に実行されてもよい。別の例では、図７のブロック７０２は図７のブロック７０６の後に実行されてもよい。更に、必要に応じて、上述の機能のうち、１つ以上の機能は任意に選択されてもよく、または、組み合わせてもよい。例えば、図８のブロック８０２は任意に選択されてもよく、かつ／または、図８のブロック８０４と組み合わせてもよい。
【０１４４】
本発明の様々な態様が独立請求項に述べられるが、本発明の他の態様は、記載された実施形態および／または従属請求項からの特徴と独立請求項の特徴との他の組み合わせを含み、特許請求の範囲において明示的に述べられる組み合わせのみを含むのではない。
【０１４５】
また、本明細書では本発明の例示的な実施形態を上述したが、これらの記述は限定された意味で解釈されるべきではないことに留意されたい。むしろ、添付の特許請求の範囲によって規定される本発明の範囲を逸脱することなく、変更および変形がなされ得る。
【図１】
0006367953.tif 000002
【図２Ａ】
0006367953.tif 000003
【図２Ｂ】
0006367953.tif 000004
【図３Ａ】
0006367953.tif 000005
【図３Ｂ】
0006367953.tif 000006
【図４Ａ】
0006367953.tif 000007
【図４Ｂ】
0006367953.tif 000008
【図４Ｃ】
0006367953.tif 000009
【図４Ｄ】
0006367953.tif 000010
【図４Ｅ】
0006367953.tif 000011
【図４Ｆ】
0006367953.tif 000012
【図４Ｇ】
0006367953.tif 000013
【図５】
0006367953.tif 000014
【図６】
0006367953.tif 000015
【図７】
0006367953.tif 000016
【図８】
0006367953.tif 000017